(57)【要約】  本出願の実施例は、Ｄ２Ｄ方式で端末と衛星システムとの同期を保証することができる同期方法、端末装置、ネットワーク装置と記憶媒体を提供する。該方法は、ネットワーク装置が第一の端末が衛星システムと同期できないことを確定することと、前記ネットワーク装置が前記第一の端末が前記衛星システムと同期するための衛星システムに基づく同期信号を送信するように第二の端末に指示することとを含む。
2019519948.tif 000002
【特許請求の範囲】
【請求項１】
同期方法であって、
ネットワーク装置が第一の端末が衛星システムと同期できないことを確定することと、
前記ネットワーク装置が前記第一の端末が前記衛星システムと同期するための衛星システムに基づく同期信号を送信するように第二の端末に指示することとを含む同期方法。
【請求項２】
前記ネットワーク装置が衛星システムに基づく同期信号を送信するように第二の端末に指示する前に、前記方法はさらに、
前記ネットワーク装置が前記第一の端末の現在の位置を確定することと、
前記第一の端末の現在の位置に基づき、前記ネットワーク装置が前記第二の端末を選択することとを含むことを特徴とする
請求項１に記載の方法。
【請求項３】
前記方法は、前記ネットワーク装置が前記第一の端末から送信された第一のメッセージを受信し、前記第一のメッセージが前記第一の端末が前記衛星システムと同期できないことを示すことに用いられ、及び前記第一のメッセージが前記第一の端末の現在の位置を取得するための情報を含むことを含み、
前記ネットワーク装置が第一の端末が衛星システムと同期できないことを確定することは、前記第一のメッセージに基づき、前記ネットワーク装置が前記第一の端末が前記衛星システムと同期できないことを確定することを含み、
前記ネットワーク装置が前記第一の端末の現在の位置を確定することは、前記第一のメッセージに基づいて前記第一の端末の現在の位置を確定することを含むことを特徴とする
請求項２に記載の方法。
【請求項４】
前記方法は、前記ネットワーク装置が第二の端末又は第三の端末から送信された報告メッセージを受信し、前記報告メッセージが前記第一の端末が前記衛星システムと同期できないことを示すことに用いられ、及び前記第一の端末の現在の位置を取得するための情報を含むことを含み、
前記ネットワーク装置が第一の端末が衛星システムと同期できないことを確定することは、前記報告メッセージに基づき、前記ネットワーク装置が前記第一の端末が前記衛星システムと同期できないことを確定することを含み、
前記ネットワーク装置が前記第一の端末の現在の位置を確定することは、前記報告メッセージに基づき、前記第一の端末の現在の位置を確定することを含むことを特徴とする
請求項２に記載の方法。
【請求項５】
前記報告メッセージはさらに第二のメッセージの送信側の現在の位置情報と検出された衛星信号の強度情報を含むことを特徴とする
請求項４に記載の方法。
【請求項６】
前記第一の端末の現在の位置を取得するための情報は、前記第一の端末が第一の時点で前記衛星システムによって取得した位置情報及び前記第一の時点から前記第一のメッセージの報告時点までの速度情報を含むことを特徴とする
請求項３乃至５のいずれか一項に記載の方法。
【請求項７】
前記第一の端末の現在の位置に基づき、前記ネットワーク装置が前記第二の端末を選択する前に、前記方法はさらに、
前記ネットワーク装置が複数の端末装置の各々によって送信された第二のメッセージを受信し、前記第二のメッセージが送信側の現在の位置情報と検出された衛星信号の強度情報を示すことに用いられることを含み、
前記第一の端末の現在の位置に基づき、前記ネットワーク装置が前記第二の端末を選択することは、
前記第一の端末の現在の位置、前記複数の端末の現在の位置情報と検出された衛星信号の強度情報に基づき、前記第二の端末を選択することを含むことを特徴とする
請求項２乃至６のいずれか一項に記載の方法。
【請求項８】
前記ネットワーク装置が複数の端末の各々によって送信された第二のメッセージを受信する前に、前記方法はさらに、
前記ネットワーク装置が第一のエリア内の端末へブロードキャストメッセージを送信し、前記ブロードキャストメッセージが現在の位置情報と検出された衛星信号の強度情報を報告するように前記第一のエリア内の端末に指示することに用いられ、前記第一のエリア内の位置と前記第一の端末の現在の位置との距離が第一の所定距離より小さいことを含むことを特徴とする
請求項７に記載の方法。
【請求項９】
前記ネットワーク装置が複数の端末の各々によって送信された第二のメッセージを受信することは、
前記複数の端末によって周期的に送信された前記第二のメッセージを受信することを含むことを特徴とする
請求項７又は８に記載の方法。
【請求項１０】
前記ネットワーク装置が衛星システムに基づく同期信号を送信するように第二の端末に指示することは、
ブロードキャストチャネルにより、衛星システムに基づく同期信号を送信するように前記第二の端末に指示し、前記第二の端末が第二のエリアにあり且つ検出された衛星信号の強度が強度閾値以上である端末であり、前記第二のエリア内の位置と前記端末の現在の位置との距離が第二の所定距離以下であることを含むことを特徴とする
請求項２に記載の方法。
【請求項１１】
同期方法であって、
ネットワーク装置が指示メッセージを生成し、前記指示メッセージが、衛星システムに基づく同期信号を送信するように第一のエリア内の第二の端末に指示し、又は端末が第一のエリアに入る時に衛星システムに基づく同期信号を送信するように端末に指示することに用いられることと、
前記ネットワーク装置が前記指示メッセージを送信することとを含む、前記同期方法。
【請求項１２】
前記ネットワーク装置が指示メッセージを生成する前に、前記方法はさらに、
前記ネットワーク装置が第二のエリアの衛星信号の強度が強度閾値以下であることを確定し、前記第一のエリアが前記第二のエリアの隣接エリアであり、前記第一のエリア内の位置と第二のエリアの位置との距離が第一の所定距離以下であることと、
前記第二のエリアの位置情報に基づき、前記第一のエリアを確定することとを含むことを特徴とする
請求項１１に記載の方法。
【請求項１３】
前記方法はさらに、
前記ネットワーク装置が前記第二のエリア内の端末によって送信された第一の報告メッセージを受信し、前記報告メッセージが送信側によって検出された衛星信号の強度を示すことに用いられることと、
前記第二のエリア内の端末によって検出された衛星信号の強度に基づき、前記第二のエリアの衛星信号の強度を確定することとを含むことを特徴とする
請求項１２に記載の方法。
【請求項１４】
前記ネットワーク装置が指示メッセージを生成する前に、前記方法はさらに、
前記ネットワーク装置が第一のエリア内の端末へ第一のブロードキャストメッセージを送信し、前記第一のブロードキャストメッセージが検出された衛星信号の強度情報を報告するように前記第一のエリア内の端末に指示することに用いられることと、
前記ネットワーク装置が前記第一のエリア内の端末によって送信された第二の報告メッセージを受信し、前記第二の報告メッセージが送信側によって検出された衛星信号の強度情報を示すことに用いられることと、
前記ネットワーク装置が前記第一のエリア内の端末によって検出された衛星信号の強度情報に基づき、前記第一のエリアにある端末から前記第二の端末を選択することとを含むことを特徴とする
請求項１１乃至１３のいずれか一項に記載の方法。
【請求項１５】
前記第一のエリア内の第二の端末は検出された衛星信号の強度が所定強度より大きい端末であり、
前記ネットワーク装置が前記指示メッセージを送信することは、
ネットワーク装置が衛星システムに基づく同期信号を送信するように前記第一のエリア内の検出された信号の強度が所定強度より大きい端末に指示するための前記指示メッセージをブロードキャストチャネルを介して送信することを含むことを特徴とする
請求項１１乃至１３のいずれか一項に記載の方法。
【請求項１６】
同期方法であって、
第一の端末が衛星システムと同期できないことを確定することと、
前記第一の端末が第一のメッセージを送信し、前記第一のメッセージが前記第一の端末が前記衛星システムと同期できないことを示すことに用いられることと、
前記第一の端末が第二の端末から送信された衛星システムに基づく同期信号を受信することと、
前記同期信号に基づき、前記第一の端末が前記衛星システムと同期することとを含む、同期方法。
【請求項１７】
前記第一のメッセージは前記第一の端末の現在の位置を取得するための情報を含むことを特徴とする
請求項１６に記載の方法。
【請求項１８】
前記第一の端末の現在の位置を取得するための情報は、前記第一の端末が第一の時点で前記衛星システムによって取得した位置情報及び前記第一の時点から前記第一のメッセージの報告時点までの速度情報を含むことを特徴とする
請求項１７に記載の方法。
【請求項１９】
前記第一の端末が第一のメッセージを送信することは、
前記第一の端末がネットワーク装置へ前記第一のメッセージを送信することを含むことを特徴とする
請求項１６乃至１８のいずれか一項に記載の方法。
【請求項２０】
前記第一の端末が第一のメッセージを送信することは、
前記第一の端末が端末へ前記第一のメッセージをブロードキャストすることを含むことを特徴とする
請求項１６乃至１８のいずれか一項に記載の方法。
【請求項２１】
前記第一のメッセージは前記第一の端末によって生成された同期信号であることを特徴とする
請求項２０に記載の方法。
【請求項２２】
前記第一の端末によって第一の所定期間内に検出された衛星信号の強度が第一の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下であり、前記第一の端末によって第三の所定期間内に検出された、衛星システムと間接的に同期する端末から送信された衛星システムに基づく同期信号の強度が第三の強度閾値以下である場合、
第一の端末が衛星システムと同期できないことを確定することを特徴とする
請求項１６乃至２１のいずれか一項に記載の方法。
【請求項２３】
同期方法であって、
第二の端末が指示メッセージを受信し、前記指示メッセージが衛星システムに基づく同期信号を送信するように前記第二の端末に指示することに用いられることと、
前記第二の端末が前記指示メッセージに基づき、第一の端末が前記衛星システムと同期するための衛星システムに基づく同期信号を送信することとを含む、同期方法。
【請求項２４】
前記第二の端末が指示メッセージを受信することは、
前記第二の端末が前記第一端末から送信された前記指示メッセージを受信することを含むことを特徴とする
請求項２３に記載の方法。
【請求項２５】
前記第二の端末が衛星システムに基づく同期信号を送信することは、
前記第二の端末の検出された衛星信号の強度が強度閾値以上である場合、前記第二の端末が衛星システムに基づく同期信号を送信することを含むことを特徴とする
請求項２４に記載の方法。
【請求項２６】
前記第二の端末が指示メッセージを受信することは、
前記第二の端末がネットワーク装置から送信された前記指示メッセージを受信することを含むことを特徴とする
請求項２３に記載の方法。
【請求項２７】
前記第二の端末がネットワーク装置から送信された前記指示メッセージを受信する前に、前記方法はさらに、
前記第二の端末が前記ネットワーク装置へ前記第二の端末の現在の位置情報と検出された衛星信号の強度情報を報告することを含むことを特徴とする
請求項２６に記載の方法。
【請求項２８】
前記第二の端末が前記ネットワーク装置へ前記第二の端末の現在の位置情報と検出された衛星信号の強度を報告する前に、前記方法はさらに、
前記第二の端末が前記ネットワーク装置から送信されたブロードキャストメッセージを受信し、前記ブロードキャストメッセージが現在の位置情報と検出された衛星信号の強度情報を送信するように前記ブロードキャストメッセージを受信した端末にリクエストすることに用いられることを含むことを特徴とする
請求項２７に記載の方法。
【請求項２９】
前記第二の端末が前記ネットワーク装置へ前記第二の端末の現在の位置情報と検出された衛星信号の強度情報を報告する前に、前記方法はさらに、
前記第二の端末が前記第一の端末から送信された支援要請メッセージを受信し、前記支援要請メッセージが前記第一の端末が前記衛星システムと同期できないことを示すことに用いられ、且つ前記第一のメッセージが前記第一の端末の位置を取得するための情報を含むことを含み、
前記第二の端末が前記ネットワーク装置へ前記第二の端末の現在の位置情報と検出された衛星信号の強度情報を報告することは、
前記支援要請メッセージに基づき、前記第二の端末が前記ネットワーク装置へ前記第二の端末の現在の位置情報と検出された衛星信号の強度情報を報告することを含み、
前記方法はさらに、前記第二の端末が前記ネットワーク装置へ前記第一の端末の位置を取得するための情報を送信することを含むことを特徴とする
請求項２７に記載の方法。
【請求項３０】
前記第二の端末が前記ネットワーク装置へ前記第二の端末の現在の位置情報と検出された衛星信号の強度情報を報告することは、
前記第二の端末が前記ネットワーク装置へ前記第二の端末の現在の位置情報と検出された衛星信号の強度情報を周期的に報告することを含むことを特徴とする
請求項２７に記載の方法。
【請求項３１】
前記第二の端末が前記ネットワーク装置へ前記第二の端末の現在の位置情報と検出された衛星信号の強度情報を報告することは、
前記第二の端末の移動速度が所定速度より大きく又は移動距離が所定距離より大きい場合、前記第二の端末が前記ネットワーク装置へ前記第二の端末の現在の位置情報と検出された衛星信号の強度情報を報告することを含むことを特徴とする
請求項２７に記載の方法。
【請求項３２】
前記同期信号はさらに、前記第二の端末が前記衛星システムと直接又は間接的に同期することを示すことに用いられ、又は、
前記方法はさらに、前記第二の端末が同期ブロードキャストチャネルを送信し、前記同期ブロードキャストチャネルが、前記第二の端末が前記衛星システムと直接又は間接的に同期することを示すことを含むことを特徴とする
請求項２３乃至３１のいずれか一項に記載の方法。
【請求項３３】
ネットワーク装置であって、
第一の端末が衛星システムと同期できないことを確定するように構成される確定ユニットと、
前記第一の端末が前記衛星システムと同期するための衛星システムに基づく同期信号を送信するように第二の端末に指示するように構成される指示ユニットとを備える、ネットワーク装置。
【請求項３４】
前記ネットワーク装置はさらに、
前記第一の端末の現在の位置を確定し、
前記第一の端末の現在の位置に基づき、前記第二の端末を選択するように構成される選択ユニットを備えることを特徴とする
請求項３３に記載のネットワーク装置。
【請求項３５】
前記ネットワーク装置はさらに、前記第一の端末から送信された第一のメッセージを受信するように構成され、前記第一のメッセージが前記第一の端末が前記衛星システムと同期できないことを示すことに用いられ、及び前記第一のメッセージが前記第一の端末の現在の位置を取得するための情報を含む受信ユニットを備え、
前記確定ユニットは、前記第一のメッセージに基づき、前記第一の端末が前記衛星システムと同期できないことを確定するように構成され、
前記選択ユニットは、前記第一のメッセージに基づいて前記第一の端末の現在の位置を確定するように構成されることを特徴とする
請求項３４に記載のネットワーク装置。
【請求項３６】
前記ネットワーク装置はさらに、第二の端末又は第三の端末から送信された報告メッセージを受信するように構成され、前記報告メッセージが前記第一の端末が前記衛星システムと同期できないことを示すことに用いられ、及び前記第一の端末の現在の位置を取得するための情報を含む受信ユニットを備え、
前記確定ユニットは、前記報告メッセージに基づき、前記第一の端末が前記衛星システムと同期できないことを確定するように構成され、
前記選択ユニットは、前記報告メッセージに基づき、前記第一の端末の現在の位置を確定するように構成されることを特徴とする
請求項３４に記載のネットワーク装置。
【請求項３７】
前記報告メッセージはさらに前記第二のメッセージの送信側の現在の位置情報と検出された衛星信号の強度情報を含むことを特徴とする
請求項３６に記載のネットワーク装置。
【請求項３８】
前記第一の端末の現在の位置を取得するための情報は、前記第一の端末が第一の時点で前記衛星システムによって取得した位置情報及び前記第一の時点から前記第一のメッセージの報告時点までの速度情報を含むことを特徴とする
請求項３５乃至３７のいずれか一項に記載のネットワーク装置。
【請求項３９】
前記ネットワーク装置はさらに、複数の端末装置の各々によって送信された第二のメッセージを受信するように構成され、前記第二のメッセージが送信側の現在の位置情報と検出された衛星信号の強度情報を示すことに用いられる受信ユニットを備え、
前記選択ユニットは、前記第一の端末の現在の位置、前記複数の端末の現在の位置情報と検出された衛星信号の強度情報に基づき、前記第二の端末を選択するように構成されることを特徴とする
請求項３４乃至３８のいずれか一項に記載のネットワーク装置。
【請求項４０】
前記ネットワーク装置はさらに、
第一のエリア内の端末へブロードキャストメッセージを送信するように構成され、前記ブロードキャストメッセージが現在の位置情報と検出された衛星信号の強度情報を報告するように前記第一のエリア内の端末に指示することに用いられ、前記第一のエリア内の位置と前記第一の端末の現在の位置との距離が第一の所定距離より小さい送信ユニットを備えることを特徴とする
請求項３９に記載のネットワーク装置。
【請求項４１】
前記受信ユニットはさらに、
前記複数の端末によって周期的に送信された前記第二のメッセージを受信するように構成されることを特徴とする
請求項３９又は４０に記載のネットワーク装置。
【請求項４２】
前記指示ユニットはさらに、
ブロードキャストチャネルにより、衛星システムに基づく同期信号を送信するように前記第二の端末に指示するように構成され、前記第二の端末が第二のエリアにあり且つ検出された衛星信号の強度が強度閾値以上である端末であり、前記第二のエリア内の位置と前記端末の現在の位置との距離が第二の所定距離以下であることを特徴とする
請求項３４に記載のネットワーク装置。
【請求項４３】
ネットワーク装置であって、
指示メッセージを生成するように構成され、前記指示メッセージが、衛星システムに基づく同期信号を送信するように第一のエリア内の第二の端末に指示し、又は端末が第一のエリアに入る時に衛星システムに基づく同期信号を送信するように端末に指示することに用いられる生成ユニットと、
前記指示メッセージを送信するように構成される送信ユニットとを備える、ネットワーク装置。
【請求項４４】
前記ネットワーク装置はさらに、
第二のエリアの衛星信号の強度が強度閾値以下であることを確定し、前記第一のエリアが前記第二のエリアの隣接エリアであり、前記第一のエリア内の位置と第二のエリアの位置との距離が第一の所定距離以下であり、
前記第二のエリアの位置情報に基づき、前記第一のエリアを確定するように構成される確定ユニットを備えることを特徴とする
請求項４３に記載のネットワーク装置。
【請求項４５】
前記ネットワーク装置はさらに、前記第二のエリア内の端末によって送信された第一の報告メッセージを受信するように構成され、前記報告メッセージが送信側によって検出された衛星信号の強度を示すことに用いられる受信ユニットを備え、
前記確定ユニットはさらに前記第二のエリア内の端末によって検出された衛星信号の強度に基づき、前記第二のエリアの衛星信号の強度を確定するように構成されることを特徴とする
請求項４４に記載のネットワーク装置。
【請求項４６】
前記ネットワーク装置はさらに受信ユニットと選択ユニットを備え、ここで、
前記送信ユニットはさらに第一のエリア内の端末へ第一のブロードキャストメッセージを送信するように構成され、前記第一のブロードキャストメッセージが検出された衛星信号の強度情報を報告するように前記第一のエリア内の端末に指示することに用いられ、
前記受信ユニットはさらに前記第一のエリア内の端末によって送信された第二の報告メッセージを受信するように構成され、前記第二の報告メッセージが送信側によって検出された衛星信号の強度情報を示すことに用いられ、
前記選択ユニットはさらに前記第一のエリア内の端末によって検出された衛星信号の強度情報に基づき、前記第一のエリアにある端末から前記第二の端末を選択するように構成されることを特徴とする
請求項４３乃至４５のいずれか一項に記載のネットワーク装置。
【請求項４７】
前記第一のエリア内の第二の端末は検出された衛星信号の強度が所定強度より大きい端末であり、
前記送信ユニットはさらに、
衛星システムに基づく同期信号を送信するように前記第一のエリア内の検出された信号の強度が所定強度より大きい端末に指示するための前記指示メッセージをブロードキャストチャネルを介して送信するように構成されることを特徴とする
請求項４３乃至４５のいずれか一項に記載のネットワーク装置。
【請求項４８】
端末であって、前記端末は第一の端末であり、前記端末は、
前記第一の端末が衛星システムと同期できないことを確定するように構成される確定ユニットと、
第一のメッセージを送信するように構成され、前記第一のメッセージが前記第一の端末が前記衛星システムと同期できないことを示すことに用いられる送信ユニットと、
第二の端末から送信された衛星システムに基づく同期信号を受信するように構成される受信ユニットと、
前記同期信号に基づき、前記衛星システムと同期するように構成される同期ユニットとを備える、端末。
【請求項４９】
前記第一のメッセージは前記第一の端末の現在の位置を取得するための情報を含むことを特徴とする
請求項４８に記載の端末。
【請求項５０】
前記第一の端末の現在の位置を取得するための情報は前記第一の端末が第一の時点で前記衛星システムによって取得した位置情報及び前記第一の時点から前記第一のメッセージの報告時点までの速度情報を含むことを特徴とする
請求項４９に記載の端末。
【請求項５１】
前記送信ユニットはさらに、
ネットワーク装置へ前記第一のメッセージを送信するように構成されることを特徴とする
請求項４８乃至５０のいずれか一項に記載の端末。
【請求項５２】
前記送信ユニットはさらに、
端末へ前記第一のメッセージをブロードキャストするように構成されることを特徴とする
請求項４８乃至５０のいずれか一項に記載の端末。
【請求項５３】
前記第一のメッセージは前記第一の端末によって生成された同期信号であることを特徴とする
請求項５２に記載の端末。
【請求項５４】
前記第一の端末によって第一の所定期間内に検出された衛星信号の強度が第一の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下であり、前記第一の端末によって第三の所定期間内に検出された、衛星システムと間接的に同期する端末から送信された衛星システムに基づく同期信号の強度が第三の強度閾値以下である場合、
前記確定ユニットは前記第一の端末が衛星システムと同期できないことを確定することを特徴とする
請求項４８乃至５３のいずれか一項に記載の端末。
【請求項５５】
端末であって、前記端末は第二の端末であり、前記端末は、
指示メッセージを受信するように構成され、前記指示メッセージが衛星システムに基づく同期信号を送信するように前記第二の端末に指示することに用いられる受信ユニットと、
前記指示メッセージに基づき、第一の端末が前記衛星システムと同期するための衛星システムに基づく同期信号を送信するように構成される送信ユニットとを備える、前記端末。
【請求項５６】
前記受信ユニットはさらに、
前記第一端末から送信された前記指示メッセージを受信するように構成されることを特徴とする
請求項５５に記載の端末。
【請求項５７】
前記送信ユニットはさらに、
前記第二の端末の検出された衛星信号の強度が強度閾値以上である場合、衛星システムに基づく同期信号を送信するように構成されることを特徴とする
請求項５６に記載の端末。
【請求項５８】
前記受信ユニットはさらに、
ネットワーク装置から送信された前記指示メッセージを受信するように構成されることを特徴とする
請求項５５に記載の端末。
【請求項５９】
前記送信ユニットはさらに、
前記ネットワーク装置へ前記第二の端末の現在の位置情報と検出された衛星信号の強度情報を報告するように構成されることを特徴とする
請求項５８に記載の端末。
【請求項６０】
前記受信ユニットはさらに、
前記ネットワーク装置から送信されたブロードキャストメッセージを受信するように構成され、前記ブロードキャストメッセージが現在の位置情報と検出された衛星信号の強度情報を送信するように前記ブロードキャストメッセージを受信した端末にリクエストすることに用いられることを特徴とする
請求項５９に記載の端末。
【請求項６１】
前記受信ユニットはさらに、
前記第一の端末から送信された支援要請メッセージを受信するように構成され、前記支援要請メッセージが前記第一の端末が前記衛星システムと同期できないことを示すことに用いられ、且つ前記第一のメッセージが前記第一の端末の位置を取得するための情報を含み、
前記送信ユニットはさらに、
前記支援要請メッセージに基づき、前記ネットワーク装置へ前記第二の端末の現在の位置情報と検出された衛星信号の強度情報を報告し、前記ネットワーク装置へ前記第一の端末の位置を取得するための情報を送信するように構成されることを特徴とする
請求項５９に記載の端末。
【請求項６２】
前記送信ユニットはさらに、
前記ネットワーク装置へ前記第二の端末の現在の位置情報と検出された衛星信号の強度情報を周期的に報告するように構成されることを特徴とする
請求項５９に記載の端末。
【請求項６３】
前記送信ユニットはさらに、
前記第二の端末の移動速度が所定速度より大きく又は移動距離が所定距離より大きい場合、前記ネットワーク装置へ前記第二の端末の現在の位置情報と検出された衛星信号の強度情報を報告するように構成されることを特徴とする
請求項５９に記載の端末。
【請求項６４】
前記同期信号はさらに、前記第二の端末が前記衛星システムと直接又は間接的に同期することを示すことに用いられ、又は、
前記送信ユニットはさらに同期ブロードキャストチャネルを送信するように構成され、前記同期ブロードキャストチャネルが、前記第二の端末が前記衛星システムと直接又は間接的に同期することを示すことを特徴とする
請求項５５乃至６３のいずれか一項に記載の端末。
【発明の詳細な説明】
【技術分野】
【０００１】
本出願は通信分野に関し、且つより具体的には、同期方法、端末とネットワーク装置に関する。
【背景技術】
【０００２】
従来のセルラ通信システムでは、端末間のシグナリング及びデータのインタラクションはいずれもそれぞれのサービング基地局及びコアネットワークを介して転送する必要がある。
【０００３】
デバイスツーデバイス（Ｄ２Ｄ：Ｄｅｖｉｃｅ  ｔｏ  Ｄｅｖｉｃｅ）技術は直接通信技術である。端末間のデータのインタラクションは基地局を介して転送する必要がない。端末間では、Ｄ２Ｄリンクを確立してインタラクションを直接行い、又はネットワークの支援の下でインタラクションを直接行うことができる。
【０００４】
３ＧＰＰ  Ｒｅｌｅａｓｅ−１２＆１３では、端末はセルラネットワークの同期によりＤ２Ｄ通信の同期を実現する。
【０００５】
衛星システムがＤ２Ｄ通信に導入されるにつれ、どのように同期するかは早急に解決すべき問題である。
【発明の概要】
【発明が解決しようとする課題】
【０００６】
本出願の実施例は、Ｄ２Ｄ方式で端末と衛星システムとの同期を保証することができる同期方法、端末装置、ネットワーク装置と記憶媒体を提供する。
【課題を解決するための手段】
【０００７】
第一の態様による同期方法は、
ネットワーク装置が第一の端末が衛星システムと同期できないことを確定することと、
前記ネットワーク装置が前記第一の端末が前記衛星システムと同期するための衛星システムに基づく同期信号を送信するように第二の端末に指示することとを含む。
【０００８】
したがって、本出願の実施例では、第一の端末が衛星システムと同期できない場合、ネットワーク装置は、第一の端末が衛星システムと同期するための衛星システムに基づく同期メッセージを送信するように第二の端末に指示することができ、それによってＤ２Ｄ方式で端末と衛星システムとの同期を保証することができる。
【０００９】
第一の態様と組み合わせ、第一の態様の第一の可能な実施形態では、前記ネットワーク装置が衛星システムに基づく同期信号を送信するように第二の端末に指示する前に、前記方法はさらに、
前記ネットワーク装置が前記第一の端末の現在の位置を確定することと、
前記第一の端末の現在の位置に基づき、前記ネットワーク装置が前記第二の端末を選択することとを含む。
【００１０】
第一の態様又はその上記のいずれかの可能な実施形態と組み合わせ、第一の態様の第二の可能な実施形態では、前記方法は、前記ネットワーク装置が前記第一の端末から送信された第一のメッセージを受信し、前記第一のメッセージが前記第一の端末が前記衛星システムと同期できないことを示すことに用いられ、及び前記第一のメッセージが前記第一の端末の現在の位置を取得するための情報を含むことを含み、
前記ネットワーク装置が第一の端末が衛星システムと同期できないことを確定することは、前記第一のメッセージに基づき、前記ネットワーク装置が前記第一の端末が前記衛星システムと同期できないことを確定することを含み、
前記ネットワーク装置が前記第一の端末の現在の位置を確定することは、前記第一のメッセージに基づいて前記第一の端末の現在の位置を確定することを含む。
【００１１】
第一の態様又はその上記のいずれかの可能な実施形態と組み合わせ、第一の態様の第三の可能な実施形態では、前記方法は、前記ネットワーク装置が第二の端末又は第三の端末から送信された報告メッセージを受信し、前記報告メッセージが前記第一の端末が前記衛星システムと同期できないことを示すことに用いられ、及び前記第一の端末の現在の位置を取得するための情報を含むことを含み、
前記ネットワーク装置が第一の端末が衛星システムと同期できないことを確定することは、前記報告メッセージに基づき、前記ネットワーク装置が前記第一の端末が前記衛星システムと同期できないことを確定することを含み、
前記ネットワーク装置が前記第一の端末の現在の位置を確定することは、前記報告メッセージに基づき、前記第一の端末の現在の位置を確定することを含む。
【００１２】
第一の態様又はその上記のいずれかの可能な実施形態と組み合わせ、第一の態様の第四の可能な実施形態では、前記報告メッセージはさらに前記第二のメッセージの送信側の現在の位置情報と検出された衛星信号の強度情報を含む。
【００１３】
第一の態様又はその上記のいずれかの可能な実施形態と組み合わせ、第一の態様の第五の可能な実施形態では、前記第一の端末の現在の位置を取得するための情報は、前記第一の端末が第一の時点で前記衛星システムによって取得した位置情報及び前記第一の時点から前記第一のメッセージの報告時点までの速度情報を含む。
【００１４】
第一の態様又はその上記のいずれかの可能な実施形態と組み合わせ、第一の態様の第六の可能な実施形態では、前記第一の端末の現在の位置に基づき、前記ネットワーク装置が前記第二の端末を選択する前に、前記方法はさらに、
前記ネットワーク装置が複数の端末装置の各々によって送信された第二のメッセージを受信し、前記第二のメッセージが送信側の現在の位置情報と検出された衛星信号の強度情報を示すことに用いられることを含み、
前記第一の端末の現在の位置に基づき、前記ネットワーク装置が前記第二の端末を選択することは、
前記第一の端末の現在の位置、前記複数の端末の現在の位置情報と検出された衛星信号の強度情報に基づき、前記第二の端末を選択することを含む。
【００１５】
第一の態様又はその上記のいずれかの可能な実施形態と組み合わせ、第一の態様の第七の可能な実施形態では、前記ネットワーク装置が複数の端末の各々によって送信された第二のメッセージを受信する前に、前記方法はさらに、
前記ネットワーク装置が第一のエリア内の端末へブロードキャストメッセージを送信し、前記ブロードキャストメッセージが現在の位置情報と検出された衛星信号の強度情報を報告するように前記第一のエリア内の端末に指示することに用いられ、前記第一のエリア内の位置と前記第一の端末の現在の位置との距離が第一の所定距離より小さいことを含む。
【００１６】
第一の態様又はその上記のいずれかの可能な実施形態と組み合わせ、第一の態様の第八の可能な実施形態では、前記ネットワーク装置が複数の端末の各々によって送信された第二のメッセージを受信することは、
前記複数の端末によって周期的に送信された前記第二のメッセージを受信することを含む。
【００１７】
第一の態様又はその上記のいずれかの可能な実施形態と組み合わせ、第一の態様の第九の可能な実施形態では、前記ネットワーク装置が衛星システムに基づく同期信号を送信するように第二の端末に指示することは、
ブロードキャストチャネルにより、衛星システムに基づく同期信号を送信するように前記第二の端末に指示し、前記第二の端末が第二のエリアにあり且つ検出された衛星信号の強度が強度閾値以上である端末であり、前記第二のエリア内の位置と前記端末の現在の位置との距離が第二の所定距離以下であることを含む。
【００１８】
第二の態様による同期方法は、
ネットワーク装置が指示メッセージを生成し、前記指示メッセージが衛星システムに基づく同期信号を送信するように第一のエリア内の第二の端末に指示し、又は端末が第一のエリアに入る時に衛星システムに基づく同期信号を送信するように端末に指示することに用いられることと、
前記ネットワーク装置が前記指示メッセージを送信することとを含む。
【００１９】
したがって、本出願の実施例では、ネットワーク装置は、第一のエリア内の端末が衛星システムに基づく同期信号を送信し、又は端末が第一のエリアに入る時に衛星システムに基づく同期信号を送信するようにすることができ、それによって第一のエリアの隣接エリアの端末と衛星システムとの同期を保証することができる。
【００２０】
第二の態様と組み合わせ、第二の態様の第一の可能な実施形態では、前記ネットワーク装置が指示メッセージを生成する前に、前記方法はさらに、
前記ネットワーク装置が第二のエリアの衛星信号の強度が強度閾値以下であることを確定し、前記第一のエリアが前記第二のエリアの隣接エリアであり、前記第一のエリア内の位置と第二のエリアの位置との距離が第一の所定距離以下であることと、
前記第二のエリアの位置情報に基づき、前記第一のエリアを確定することとを含む。
【００２１】
第二の態様又はその上記のいずれかの可能な実施形態と組み合わせ、第二の態様の第二の可能な実施形態では、前記方法はさらに、
前記ネットワーク装置が前記第二のエリア内の端末によって送信された第一の報告メッセージを受信し、前記報告メッセージが送信側によって検出された衛星信号の強度を示すことに用いられることと、
前記第二のエリア内の端末によって検出された衛星信号の強度に基づき、前記第二のエリアの衛星信号の強度を確定することとを含む。
【００２２】
第二の態様又はその上記のいずれかの可能な実施形態と組み合わせ、第二の態様の第三の可能な実施形態では、前記ネットワーク装置が指示メッセージを生成する前に、前記方法はさらに、
前記ネットワーク装置が第一のエリア内の端末へ第一のブロードキャストメッセージを送信し、前記第一のブロードキャストメッセージが検出された衛星信号の強度情報を報告するように前記第一のエリア内の端末に指示することに用いられることと、
前記ネットワーク装置が前記第一のエリア内の端末によって送信された第二の報告メッセージを受信し、前記第二の報告メッセージが送信側によって検出された衛星信号の強度情報を示すことに用いられることと、
前記ネットワーク装置が前記第一のエリア内の端末によって検出された衛星信号の強度情報に基づき、前記第一のエリアにある端末から前記第二の端末を選択することとを含む。
【００２３】
第二の態様又はその上記のいずれかの可能な実施形態と組み合わせ、第二の態様の第四の可能な実施形態では、前記第一のエリア内の第二の端末は検出された衛星信号の強度が所定強度より大きい端末であり、
前記ネットワーク装置が前記指示メッセージを送信することは、
ネットワーク装置が衛星システムに基づく同期信号を送信するように前記第一のエリア内の検出された信号の強度が所定強度より大きい端末に指示するための前記指示メッセージをブロードキャストチャネルを介して送信することを含む。
【００２４】
第三の態様による同期方法は、
第一の端末が衛星システムと同期できないことを確定することと、
前記第一の端末が第一のメッセージを送信し、前記第一のメッセージが前記第一の端末が前記衛星システムと同期できないことを示すことに用いられることと、
前記第一の端末が第二の端末から送信された衛星システムに基づく同期信号を受信することと、
前記同期信号に基づき、前記第一の端末が前記衛星システムと同期することとを含む。
【００２５】
第三の態様と組み合わせ、第三の態様の第一の可能な実施形態では、前記第一のメッセージは前記第一の端末の現在の位置を取得するための情報を含む。
【００２６】
第三の態様又はその上記のいずれかの可能な実施形態と組み合わせ、第三の態様の第二の可能な実施形態では、前記第一の端末の現在の位置を取得するための情報は前記第一の端末が第一の時点で前記衛星システムによって取得した位置情報及び前記第一の時点から前記第一のメッセージの報告時点までの速度情報を含む。
【００２７】
第三の態様又はその上記のいずれかの可能な実施形態と組み合わせ、第三の態様の第三の可能な実施形態では、前記第一の端末が第一のメッセージを送信することは、
前記第一の端末がネットワーク装置へ前記第一のメッセージを送信することを含む。
【００２８】
第三の態様又はその上記のいずれかの可能な実施形態と組み合わせ、第三の態様の第四の可能な実施形態では、前記第一の端末が第一のメッセージを送信することは、
前記第一の端末が端末へ前記第一のメッセージをブロードキャストすることを含む。
【００２９】
第三の態様又はその上記のいずれかの可能な実施形態と組み合わせ、第三の態様の第五の可能な実施形態では、前記第一のメッセージは前記第一の端末によって生成された同期信号である。
【００３０】
第三の態様又はその上記のいずれかの可能な実施形態と組み合わせ、第三の態様の第六の可能な実施形態では、以下の場合で、第一の端末は衛星システムと同期できないことを確定する。
【００３１】
前記第一の端末によって第一の所定期間内に検出された衛星信号の強度が第一の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下であり、前記第一の端末によって第三の所定期間内に検出された、衛星システムと間接的に同期する端末から送信された衛星システムに基づく同期信号の強度が第三の強度閾値以下である場合がある。
【００３２】
第四の態様による同期方法は、
第二の端末が指示メッセージを受信し、前記指示メッセージが衛星システムに基づく同期信号を送信するように前記第二の端末に指示することに用いられることと、
前記第二の端末が前記指示メッセージに基づき、第一の端末が前記衛星システムと同期するための衛星システムに基づく同期信号を送信することとを含む。
【００３３】
第四の態様と組み合わせ、第四の態様の第一の可能な実施形態では、前記第二の端末が指示メッセージを受信することは、
前記第二の端末が前記第一端末から送信された前記指示メッセージを受信することを含む。
【００３４】
第四の態様又はその上記のいずれかの可能な実施形態と組み合わせ、第四の態様の第二の可能な実施形態では、前記第二の端末が衛星システムに基づく同期信号を送信することは、
前記第二の端末の検出された衛星信号の強度が強度閾値以上である場合、前記第二の端末が衛星システムに基づく同期信号を送信することを含む。
【００３５】
第四の態様又はその上記のいずれかの可能な実施形態と組み合わせ、第四の態様の第三の可能な実施形態では、前記第二の端末が指示メッセージを受信することは、
前記第二の端末がネットワーク装置から送信された前記指示メッセージを受信することを含む。
【００３６】
第四の態様又はその上記のいずれかの可能な実施形態と組み合わせ、第四の態様の第四の可能な実施形態では、前記第二の端末がネットワーク装置から送信された前記指示メッセージを受信する前に、前記方法はさらに、
前記第二の端末が前記ネットワーク装置へ前記第二の端末の現在の位置情報と検出された衛星信号の強度情報を報告することを含む。
【００３７】
第四の態様又はその上記のいずれかの可能な実施形態と組み合わせ、第四の態様の第五の可能な実施形態では、前記第二の端末が前記ネットワーク装置へ前記第二の端末の現在の位置情報と検出された衛星信号の強度を報告する前に、前記方法はさらに、
前記第二の端末が前記ネットワーク装置から送信されたブロードキャストメッセージを受信し、前記ブロードキャストメッセージが現在の位置情報と検出された衛星信号の強度情報を送信するように前記ブロードキャストメッセージを受信した端末にリクエストすることに用いられることを含む。
【００３８】
第四の態様又はその上記のいずれかの可能な実施形態と組み合わせ、第四の態様の第六の可能な実施形態では、前記第二の端末が前記ネットワーク装置へ前記第二の端末の現在の位置情報と検出された衛星信号の強度情報を報告する前に、前記方法はさらに、
前記第二の端末が前記第一の端末から送信された支援要請メッセージを受信し、前記支援要請メッセージが前記第一の端末が前記衛星システムと同期できないことを示すことに用いられ、且つ前記第一のメッセージが前記第一の端末の位置を取得するための情報を含むことを含み、
前記第二の端末が前記ネットワーク装置へ前記第二の端末の現在の位置情報と検出された衛星信号の強度情報を報告することは、
前記支援要請メッセージに基づき、前記第二の端末が前記ネットワーク装置へ前記第二の端末の現在の位置情報と検出された衛星信号の強度情報を報告することを含み、
前記方法はさらに、前記第二の端末が前記ネットワーク装置へ前記第一の端末の位置を取得するための情報を送信することを含む。
【００３９】
第四の態様又はその上記のいずれかの可能な実施形態と組み合わせ、第四の態様の第七の可能な実施形態では、前記第二の端末が前記ネットワーク装置へ前記第二の端末の現在の位置情報と検出された衛星信号の強度情報を報告することは、
前記第二の端末が前記ネットワーク装置へ前記第二の端末の現在の位置情報と検出された衛星信号の強度情報を周期的に報告することを含む。
【００４０】
第四の態様又はその上記のいずれかの可能な実施形態と組み合わせ、第四の態様の第八の可能な実施形態では、前記第二の端末が前記ネットワーク装置へ前記第二の端末の現在の位置情報と検出された衛星信号の強度情報を報告することは、
前記第二の端末の移動速度が所定速度より大きく又は移動距離が所定距離より大きい場合、前記第二の端末が前記ネットワーク装置へ前記第二の端末の現在の位置情報と検出された衛星信号の強度情報を報告することを含む。
【００４１】
第四の態様又はその上記のいずれかの可能な実施形態と組み合わせ、第四の態様の第九の可能な実施形態では、前記同期信号はさらに、前記第二の端末が前記衛星システムと直接又は間接的に同期することを示すことに用いられ、又は、
前記方法はさらに、前記第二の端末が同期ブロードキャストチャネルを送信し、前記同期ブロードキャストチャネルが、前記第二の端末が前記衛星システムと直接又は間接的に同期することを示すことを含む。
【００４２】
第五の態様によるネットワーク装置は、上記第一の態様又は第一の態様のいずれかの可能な実施形態における方法を実行するように構成される。具体的には、該ネットワーク装置は上記第一の態様又は第一の態様のいずれかの可能な実施形態における方法を実行するためのユニットを備える。
【００４３】
第六の態様によるネットワーク装置は、上記第二の態様又は第二の態様のいずれかの可能な実施形態における方法を実行するように構成される。具体的には、該ネットワーク装置は上記第二の態様又は第二の態様のいずれかの可能な実施形態における方法を実行するためのユニットを備える。
【００４４】
第七の態様による端末装置は、上記第三の態様又は第三の態様のいずれかの可能な実施形態における方法を実行するように構成される。具体的には、該端末装置は上記第三の態様又は第二の態様のいずれかの可能な実施形態における方法を実行するためのユニットを備える。
【００４５】
第八の態様による端末装置は、上記第四の態様又は第四の態様のいずれかの可能な実施形態における方法を実行するように構成される。具体的には、該端末装置は、上記第四の態様又は第四の態様のいずれかの可能な実施形態における方法を実行するためのユニットを備える。
【００４６】
第九の態様によるネットワーク装置は、メモリとプロセッサとを備え、該メモリが命令を記憶することに用いられ、該プロセッサが該メモリに記憶された命令を実行することに用いられ、且つ該プロセッサが該メモリに記憶された命令を実行する場合、該実行により該プロセッサが第一の態様又は第一の態様のいずれかの可能な実施形態における方法を実行する。
【００４７】
第十の態様によるネットワーク装置は、メモリとプロセッサとを備え、該メモリが命令を記憶することに用いられ、該プロセッサが該メモリに記憶された命令を実行することに用いられ、且つ該プロセッサが該メモリに記憶された命令を実行する場合、該実行により該プロセッサが第二の態様又は第二の態様のいずれかの可能な実施形態における方法を実行する。
【００４８】
第十一の態様による端末装置は、メモリとプロセッサとを備え、該メモリが命令を記憶することに用いられ、該プロセッサが該メモリに記憶された命令を実行することに用いられ、且つ該プロセッサが該メモリに記憶された命令を実行する場合、該実行により該プロセッサが第三の態様又は第三の態様のいずれかの可能な実施形態における方法を実行する。
【００４９】
第十二の態様による端末装置は、メモリとプロセッサとを備え、該メモリが命令を記憶することに用いられ、該プロセッサが該メモリに記憶された命令を実行することに用いられ、且つ該プロセッサが該メモリに記憶された命令を実行する場合、該実行により該プロセッサが第四の態様又は第四の態様のいずれかの可能な実施形態における方法を実行する。
【００５０】
第十三の態様によるコンピュータ記憶媒体は、プログラムコードを記憶し、該プログラムコードが上記第一の態様又は第一の態様のいずれかの可能な実施形態における方法を実行することを示すことに用いられる。
【００５１】
第十四の態様によるコンピュータ記憶媒体は、プログラムコードを記憶し、該プログラムコードが上記第二の態様又は第二の態様のいずれかの可能な実施形態における方法を実行することを示すことに用いられる。
【００５２】
第十五の態様によるコンピュータ記憶媒体は、プログラムコードを記憶し、該プログラムコードが上記第三の態様又は第三の態様のいずれかの可能な実施形態における方法を実行することを示すことに用いられる。
【００５３】
第十六の態様によるコンピュータ記憶媒体は、プログラムコードを記憶し、該プログラムコードが上記第四の態様又は第四の態様のいずれかの可能な実施形態における方法を実行することを示すことに用いられる。
【図面の簡単な説明】
【００５４】
【図１】本出願の実施例による同期方法の概略フローチャートである。
【図２】本出願の実施例による同期方法の概略フローチャートである。
【図３】本出願の実施例による同期方法の概略フローチャートである。
【図４】本出願の実施例によるネットワーク装置の概略ブロック図である。
【図５】本出願の実施例によるネットワーク装置の概略ブロック図である。
【図６】本出願の実施例による端末装置の概略ブロック図である。
【図７】本出願の実施例による端末装置の概略ブロック図である。
【図８】本出願の実施例による通信装置の概略ブロック図である。
【発明を実施するための形態】
【００５５】
本出願の実施例の技術的解決策をより明確に説明するために、以下に本出願の実施例又は従来技術の記述において必要な図面を簡単に説明し、当然ながら、以下に記載される図面が本出願のいくつかの実施例だけであり、当業者であれば、創造的な労力を要することなく、これらの図面に基づいて他の図面を得ることができる。
【００５６】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本出願の実施例に基づき、当業者が創造的な労力を要せずに得た他の実施例は、全て本出願の保護範囲に属する。
【００５７】
理解すべきものとして、本出願の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期発展型（ＬＴＥ：Ｌｏｎｇ  Ｔｅｒｍ  Ｅｖｏｌｕｔｉｏｎ）システム、高度な長期発展型（ＬＴＥ−Ａ：Ａｄｖａｎｃｅｄ  ｌｏｎｇ  ｔｅｒｍ  ｅｖｏｌｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、５Ｇなどに応用されてもよい。
【００５８】
いくつかの実施例では、Ｄ２Ｄ通信は車間（Ｖ２Ｖ：Ｖｅｈｉｃｌｅ  ｔｏ  Ｖｅｈｉｃｌｅ）通信、又はＶ２Ｘ通信を指すことができる。Ｖ２Ｘ通信では、Ｘは無線受信及び送信能力を有しているいかなるデバイスを広く指すことができ、例えば遅く移動する無線デバイス、速く移動する車載デバイス、又は無線送信及び受信能力を有しているネットワーク制御ノードであるがこれらに限定されない。当然、本出願の実施例はＤ２Ｄ通信ではなく、端末とセルラネットワークとの間の通信に用いられてもよい。
【００５９】
本出願の実施例では、ネットワーク装置はＧＳＭ又はＣＤＭＡにおける基地局（ＢＴＳ：Ｂａｓｅ  Ｔｒａｎｓｃｅｉｖｅｒ  ｓｔｔｉｏｎ）であってもよいし、ＷＣＤＭＡにおける基地局（ＮｏｄｅＢ）であってもよいし、ＬＴＥにおける発展型基地局（ｅｖｏｌｖｅｄ  Ｎｏｄｅ  Ｂ、ｅＮＢ又はｅ−ＮｏｄｅＢ）であってもよいし、５Ｇにおけるアクセスサービスを提供するための装置であってもよく、本出願の実施例はこれに限定されない。
【００６０】
本出願の実施例では、衛星システムに基づく同期信号が提供される必要がある端末を第一の端末と呼び、衛星システムに基づく同期信号を提供する端末を第二の端末と呼び、説明を容易にするためだけであり、第一の端末が衛星システムに基づく同期信号を提供する機能を備えない（例えば第一の端末が衛星信号を検出できるエリアに移動する）ことを意味せず、また、第二の端末に衛星システムに基づく同期信号が提供される必要がない（例えば、第二の端末が直接衛星システムから由来する同期信号を検出しないエリアに移動する）ことを意味せず、即ち、第一の端末は第二の端末の機能を有することができ、第二の端末は同様に第一の端末の機能を有することができる。
【００６１】
本出願の実施例における第一のエリア、第二のエリアと第三のエリアなどは同じエリア又は異なるエリアであってもよい。異なる実施例に係る第一のエリアは同じエリア又は異なるエリアであってもよく、具体的な状況に応じて定められるべきである。他は同様であり、例えば、第一のメッセージと支援要請メッセージは同一のメッセージであってもよく、説明を容易にするために呼ばれるエリアだけである。
【００６２】
本出願の実施例では、衛星システムはグローバルナビゲーション衛星システム（ＧＮＳＳ：Ｇｌｏｂａｌ  Ｎａｖｉｇａｔｉｏｎ  Ｓａｔｅｌｌｉｔｅ  Ｓｙｓｔｅｍ）であってもよい。
【００６３】
図１は本出願の実施例による同期方法１００の概略フローチャートである。図１に示すように、該方法１００は１１０、１２０、１３０、１４０と１５０を含む。
【００６４】
１１０において、ネットワーク装置は第一の端末が衛星システムと同期できないことを確定する。
【００６５】
選択可能に、ネットワーク装置は少なくとも以下の二つの方式によって第一の端末が衛星システムと同期できないことを確定することができる。
【００６６】
一つの実施形態では、第一の端末が衛星システムと同期できないことを確定した場合、第一の端末は前記第一の端末が衛星システムと同期できないことを示すための第一のメッセージをネットワーク装置に送信し、ネットワーク装置は該第一のメッセージに基づき、第一の端末が衛星システムと同期できないことを確定することができる。
【００６７】
理解すべきものとして、第一の端末がアイドル状態にある場合、第一の端末が衛星システムと同期できないことを確定した場合、第一の端末はまずアイドル状態から接続状態に入り、次にネットワーク装置へ該第一のメッセージを送信することができる。
【００６８】
別の実施形態では、第一の端末が衛星システムと同期できないことを確定した場合、第一の端末は前記第一の端末が前記衛星システムと同期できないことを示すための第一のメッセージを端末にブロードキャストし、端末は該第一のメッセージを検出した後、前記第一の端末が前記衛星システムと同期できないことを示すためのメッセージをネットワーク装置に報告することができ、ネットワーク装置は該報告メッセージに基づき、第一の端末が衛星システムと同期できないことを確定することができる。該実施形態では、第一のメッセージは好ましく第一の端末自体によって生成された同期信号であってもよい。
【００６９】
本出願の実施例では、衛星システムと関係する同期信号に対して、
衛星信号＞衛星システムと直接同期する端末からの同期信号＞衛星システムと間接的に同期する端末からの同期信号＞端末自体によって生成された同期信号という優先度を定義することができる。
【００７０】
選択可能に、以下の場合で、第一の端末が衛星システムと同期できないことを確定する。
【００７１】
前記第一の端末によって第一の所定期間内に検出された衛星信号の強度が第一の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下であり、前記第一の端末によって第三の所定期間内に検出された、衛星システムと間接的に同期する端末から送信された衛星システムに基づく同期信号の強度が第三の強度閾値以下である場合がある。
【００７２】
理解すべきものとして、以上の第一の所定期間、第二の所定期間と第三の所定期間は同じ長さの期間であってもよく、又は、第一の所定期間、第二の所定期間と第三の所定期間は同じ長さの期間だけでなく、開始点と終止点が同じであり、又は、第一の所定期間の後は第二の所定期間であり、第二の所定期間の後は第三所定期間であり、且つ第一の所定期間と第二の所定期間とが連続しており、第二の所定期間と第三の所定期間とが連続している。
【００７３】
また、理解すべきものとして、上記第一の強度閾値、第二の強度閾値と第三の強度閾値は実際の状況に応じて定められてもよく、例えば、第一の強度閾値、第二の強度閾値と第三の強度閾値をゼロに直接設定することができる。
【００７４】
１２０において、前記ネットワーク装置は前記第一の端末が前記衛星システムと同期するための衛星システムに基づく同期信号を送信するように第二の端末に指示する。
【００７５】
選択可能に、前記ネットワーク装置は前記第一の端末の現在の位置を確定し、前記第一の端末の現在の位置に基づき、前記ネットワーク装置は前記第二の端末を選択する。
【００７６】
選択可能に、上記第一の端末から送信された第一のメッセージに前記第一の端末の現在の位置を取得するための情報が含まれてもよい。
【００７７】
第一の端末が該第一のメッセージをネットワーク装置に送信する場合、ネットワーク装置は、該第一のメッセージに含まれる、第一の端末の現在の位置を取得するための情報に基づき、第一の端末の現在の位置を確定することができる。
【００７８】
第一の端末が該第一のメッセージを端末にブロードキャストする時に、該第一のメッセージを受信した端末が上記の第一の端末が衛星システムと同期できないことを示すための報告メッセージをネットワーク装置に送信する場合、第一の端末の現在の位置を取得するための情報をネットワーク装置に報告することができる。選択可能に、該第一のメッセージを受信した端末は自体の現在の位置情報と検出された衛星信号の強度情報を報告メッセージに含むことができる。
【００７９】
選択可能に、第一の端末の現在の位置を取得するための情報は、前記第一の端末が第一の時点で前記衛星システムによって取得した位置情報及び前記第一の時点から前記第一のメッセージの報告時点までの速度情報を含むことができる。
【００８０】
ここで、端末がある期間内に検出された平均衛星信号強度が所定閾値以下であることを確定し、第一のメッセージを送信する必要がある場合、第一の時点で前記衛星システムによって取得した位置情報及び前記第一の時点から前記第一のメッセージの報告時点までの速度情報を確定することができ、第一の時点は、端末が第一のメッセージを送信する前に、衛星システムによって定位情報を得ることができる最後の検出時点であってもよく、又は、上記期間内の前の衛星システムによって定位情報を得ることができる最後の検出時点を第一の時点とすることができる。当然、第一の時点は他の時点であってもよく、本出願はこれに限定されない。
【００８１】
ここで、速度情報は第一の時点の速度と第一のメッセージの送信時点の速度を含むことができ、又は、速度情報は第一の時点から第一のメッセージの送信時点までの平均速度を含むことができる。本出願に係る速度はベクトルであり、絶対速度と方向を含む。
【００８２】
選択可能に、ネットワーク装置は第一の端末の現在の位置、複数の端末の現在の位置と検出された衛星信号の強度情報に基づき、第二の端末を選択することができる。例えば、検出された信号の強度が一定値より大きく、且つ第一の端末に最も近いＮ個の端末を第二の端末とすることができる。
【００８３】
ここで、ネットワーク装置は、送信側の現在の位置情報と検出された衛星システムの強度情報を含む、複数の端末から送信された第二のメッセージを受信することができ、該第二のメッセージにより、ネットワーク装置は各端末の現在の位置と検出された衛星システムの強度を確定することができる。
【００８４】
選択可能に、端末はイベントによってトリガされて第二のメッセージを送信することができる。
【００８５】
例えば、端末から送信された第二のメッセージは、第一の端末から送信された第一のメッセージを受信した後に送信されたものであってもよく、即ち第二のメッセージは上記の報告メッセージであってもよく、自体の現在の位置情報と検出された衛星信号の強度情報を含むだけでなく、第一の端末が衛星システムと同期できないことを示すことに用いられてもよく、及び第一の端末の現在の位置を取得するための情報を含む。
【００８６】
また、例えば、端末は、自体の移動距離が一定の距離を超える（自体の現在の位置情報と検出された衛星信号の強度情報を前回報告した場合の位置と比べ、移動距離が一定の距離を超える）こと及び移動速度が一定の閾値を超えることを確定した場合、ネットワーク装置へ第二のメッセージを送信することができる。
【００８７】
また、例えば、端末は、検出された衛星信号の強度がある閾値以上である場合、ネットワーク装置へ第二のメッセージを送信することができる。
【００８８】
選択可能に、端末はネットワーク装置へ第二のメッセージを周期的に送信することができる。
【００８９】
選択可能に、ネットワーク装置が複数の端末から送信された第二のメッセージを受信する前に、及び第一の端末の現在の位置情報を確定した（例えば、第一の端末から送信された第一のメッセージによって第一の端末の現在の位置情報を確定した）後に、前記第一のエリア内の端末へブロードキャストメッセージを送信することができ、前記ブロードキャストメッセージが現在の位置情報と検出された衛星信号の強度情報を報告するように前記第一のエリア内の端末に指示することに用いられ、ここで、前記第一のエリア内の位置と前記端末の現在の位置との距離が所定距離以下である。該ブロードキャストメッセージを受信した端末は、自体の現在の位置情報と検出された衛星システムの同期信号の強度情報を含む第二のメッセージをネットワーク装置に送信することができる。
【００９０】
例えば、ネットワーク装置は接続状態にある端末によって周期的に送信された第二のメッセージが受信されていない場合、アイドル状態にある端末へブロードキャストメッセージを送信することができ、アイドル状態にある端末は該ブロードキャストメッセージを受信した後、まずアイドル状態から接続状態になり、次にネットワーク装置へ第二のメッセージを送信することができる。当然、本出願はこれに限定されず、例えば、接続状態にある端末はネットワーク装置へ第二のメッセージを周期的に送信せず、ネットワーク装置がブロードキャストメッセージを送信してから、上記第二のメッセージを送信する。
【００９１】
選択可能に、本出願の実施例では、ネットワーク装置は第一の端末が衛星システムと同期できないことを確定した後、具体的な一つ又は複数の端末を選択し、衛星システムに基づく同期信号を送信することを示すための指示メッセージを、選択した端末に一対一で送信することができる。例えば、上記のように第一の端末の現在の位置、複数の端末の現在の位置情報と検出された衛星信号の強度情報に基づき、第二の端末を選択し、選択された端末へ指示メッセージを一対一で送信する。
【００９２】
本出願の実施例では、ネットワーク装置はさらにブロードキャストメッセージを送信することにより、衛星システムに基づく同期信号を送信するように第二の端末に指示することができる。
【００９３】
例えば、ブロードキャストチャネルにより、衛星システムに基づく同期信号を送信するように第二のエリア内にあり且つ検出された衛星信号の強度が所定強度より大きい端末に指示し、ここで、前記第二のエリア内の位置と前記端末装置の現在の位置との距離が所定距離以下である。
【００９４】
例えば、ネットワーク装置が接続状態にある端末から送信された第二のメッセージが受信されていない場合、衛星システムに基づく同期信号を送信するように第二のエリア内に位置し且つ検出された衛星信号の強度が所定強度より大きいアイドル状態にある端末に指示する。
【００９５】
理解すべきものとして、上記第一のエリアと第二のエリアは完全に重なるエリア、部分で重なるエリア又は完全に重ならないエリアであってもよい。
【００９６】
１３０において、前記第二の端末は前記ネットワーク装置の指示に応じて、衛星システムに基づく同期信号を送信する。
【００９７】
選択可能に、前記同期信号はさらに、前記第二の端末が前記衛星システムと直接又は間接的に同期することを示すことに用いられ、又は、
前記方法はさらに前記第二の端末が同期ブロードキャストチャネルを送信し、前記同期ブロードキャストチャネルが、前記第二の端末が前記衛星システムと直接又は間接的に同期することを示すことを含む。
【００９８】
具体的には、本出願では、３つの新しい同期信号（３つの異なるシーケンス）を定義し、下記の三つのケースがそれぞれ示される：１．ＧＮＳＳと直接同期するケース。２．ＧＮＳＳと間接的に同期するケース。３．装置自体によって同期信号を生成するケース。それとも、２つの同期信号を定義しても良く、下記の二つのケースが示される：１．ＧＮＳＳと同期するケース。２．装置自体によって同期信号を生成するケースであり、その後同期ブロードキャストチャネルにおいて、ＧＮＳＳと直接の同期であるか、それともＧＮＳＳと間接的な同期であるかをさらに示すことができる。
【００９９】
１４０において、前記第一の端末は前記第二の端末から送信された衛星システムに基づく同期信号を受信する。
【０１００】
１５０において、前記第一の端末は前記第二の端末から送信された衛星システムに基づく同期信号に基づき、衛星システムと同期する。
【０１０１】
したがって、本出願の実施例では、第一の端末が衛星システムと同期できない場合、ネットワーク装置は、第一の端末が衛星システムと同期するための衛星システムに基づく同期メッセージを送信するように第二の端末に指示することができ、それによってＤ２Ｄ方式で端末と衛星システムとの同期を保証することができる。
【０１０２】
図２は本出願の実施例による同期方法２００の概略フローチャートである。図２に示すように、該方法２００は２１０、２２０、２３０、２４０と２５０を含む。
【０１０３】
２１０において、ネットワーク装置は、指示メッセージを生成し、前記指示メッセージが、衛星システムに基づく同期信号を送信するように第一のエリア内の第二の端末に指示し、又は端末が第一のエリアに入る時に衛星システムに基づく同期信号を送信するように端末に指示することに用いられる。
【０１０４】
選択可能に、指示メッセージを生成する前に、前記ネットワーク装置は第二のエリアの衛星信号の強度が強度閾値以下であることを確定し、前記第一のエリアが前記第二のエリアの隣接エリアであり、前記第一のエリア内の位置と第二のエリアの位置との距離が第一の所定距離以下であり、前記第二のエリアの位置情報に基づき、前記第一のエリアを確定する。
【０１０５】
選択可能に、前記ネットワーク装置は前記第二のエリア内の端末によって送信された第一の報告メッセージを受信し、前記報告メッセージが送信側によって検出された衛星信号の強度を示すことに用いられ、前記第二のエリア内の端末によって検出された衛星信号の強度に基づき、前記第二のエリアの衛星信号の強度を確定する。
【０１０６】
選択可能に、端末は、自体の現在の位置と検出された衛星信号の強度をネットワーク装置に周期的に送信することができる。
【０１０７】
選択可能に、端末は、自体の移動距離が一定の距離を超える（自体の現在の位置情報と検出された衛星信号の強度情報を前回報告した場合の位置と比べ、移動距離が一定の距離を超える）こと及び移動速度が一定の閾値を超えることを確定した場合、ネットワーク装置へ第二のメッセージを送信することができる。
【０１０８】
選択可能に、端末は、検出された衛星信号の強度がある閾値以下である場合、自体の現在の位置情報と検出された衛星信号の強度をネットワーク装置に送信することができる。
【０１０９】
選択可能に、第二のエリア内の端末から送信された第一の報告メッセージを受信する前に、ネットワーク装置は衛星信号の強度を報告するように第二のエリア内の端末に指示するためのブロードキャストメッセージを第二のエリア内の端末に送信することができる。
【０１１０】
選択可能に、ネットワーク装置は大きなエリア内の端末へブロードキャストメッセージを送信し、強度及び衛星情報を報告するように該エリア内の端末に指示することができ、ネットワーク装置は各端末によって報告された強度及び位置情報に基づき、強度が強度閾値以下であるエリア、即ち第二のエリアを確定することができる。
【０１１１】
選択可能に、該第一の端末は、第一のエリア内の全ての端末であってもよい。
【０１１２】
選択可能に、ネットワーク装置は、予め設定された衛星信号強度マップに基づき、第二のエリアの衛星信号の強度が強度閾値以下であることを確定することができる。
【０１１３】
２２０において、前記ネットワーク装置は前記指示メッセージを送信する。
【０１１４】
選択可能に、該指示メッセージは、第一のエリアに入る時に、衛星システムに基づく同期信号を送信するように前記第二の端末に指示することに用いられる。
【０１１５】
選択可能に、前記ネットワーク装置が指示メッセージを生成する前に、前記ネットワーク装置は、第一のエリア内の端末へ第一のブロードキャストメッセージを送信し、前記第一のブロードキャストメッセージが検出された衛星信号の強度情報を報告するように前記第一のエリア内の端末に指示することに用いられ、前記ネットワーク装置は、前記第一のエリア内の端末から送信された第二の報告メッセージを受信し、前記第二の報告メッセージが送信側によって検出された衛星信号の強度情報を示すことに用いられ、前記ネットワーク装置は、前記第一のエリア内の端末によって検出された衛星信号の強度情報に基づき、前記第一のエリアにある端末から前記第二の端末を選択する。衛星システムに基づく同期信号を送信するように該第二の端末に指示するための指示メッセージを選択された第二の端末に送信する。ここで、該指示メッセージはネットワーク装置から端末までの一対一メッセージであってもよい。
【０１１６】
選択可能に、前記第一のエリア内の第二の端末は検出された衛星信号の強度が所定強度より大きい端末であり、ネットワーク装置は、衛星システムに基づく同期信号を送信するように前記第一のエリア内の検出された信号強度が所定強度より大きい端末に指示するための指示メッセージをブロードキャストチャネルを介して送信する。
【０１１７】
２３０において、第二の端末は該指示メッセージに基づき、衛星システムに基づく同期信号を送信する。
【０１１８】
指示メッセージが第一のエリアに入る時に、衛星システムに基づく同期信号を送信するように第二の端末に指示する場合、第二の端末は、第一のエリアに入ることを確定した時に、衛星システムに基づく同期信号を送信することができる。
【０１１９】
選択可能に、前記同期信号はさらに、前記第二の端末が前記衛星システムと直接又は間接的に同期することを示すことに用いられ、又は、
前記方法はさらに前記第二の端末が同期ブロードキャストチャネルを送信し、前記同期ブロードキャストチャネルが、前記第二の端末が前記衛星システムと直接又は間接的に同期することを示すことを含む。
【０１２０】
具体的には、本出願では、３つの新しい同期信号（３つの異なるシーケンス）を定義し、下記の三つのケースがそれぞれ示される：１．ＧＮＳＳと直接同期するケース。２．ＧＮＳＳと間接的に同期するケース。３．装置自体によって同期信号を生成するケース。それとも、２つの同期信号を定義しても良く、下記の二つのケースが示される：１．ＧＮＳＳと同期するケース。２．装置自体によって同期信号を生成するケースであり、その後同期ブロードキャストチャネルにおいて、さらにＧＮＳＳと直接の同期であるか、それともＧＮＳＳと間接的に同期であるかを示すことができる。
【０１２１】
２４０において、第二のエリア内の端末は該衛星システムに基づく同期信号を受信する。
【０１２２】
２５０において、第二のエリア内の端末は、該衛星システムに基づく同期信号に基づいて同期する。
【０１２３】
したがって、本出願の実施例では、ネットワーク装置は、第一のエリア内の端末が衛星システムに基づく同期信号を送信し、又は端末が第一のエリアに入る時に衛星システムに基づく同期信号を送信するようにすることができ、それによって第一のエリアの隣接エリアの端末と衛星システムとの同期を保証することができる。
【０１２４】
図３は本出願の実施例による同期方法３００の概略フローチャートである。図３に示すように、該方法は３１０、３２０、３３０、３４０と３５０を含む。
【０１２５】
３１０において、第一の端末は衛星システムと同期できないことを確定する。
【０１２６】
選択可能に、以下の場合で、第一の端末は衛星システムと同期できないことを確定する。
【０１２７】
前記第一の端末によって第一の所定期間内に検出された衛星信号の強度が第一の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下であり、前記第一の端末によって第三の所定期間内に検出された、衛星システムと間接的に同期する端末から送信された衛星システムに基づく同期信号の強度が第三の強度閾値以下である場合がある。
【０１２８】
理解すべきものとして、以上の第一の所定期間、第二の所定期間と第三の所定期間は同じ長さの期間であってもよく、又は、第一の所定期間、第二の所定期間と第三の所定期間は同じ長さの期間だけでなく、開始点と終止点が同じであり、又は、第一の所定期間の後は第二の所定期間であり、第二の所定期間の後は第三所定期間であり、且つ第一の所定期間と第二の所定期間とが連続しており、第二の所定期間と第三の所定期間とが連続している。
【０１２９】
また、理解すべきものとして、上記第一の強度閾値、第二の強度閾値と第三の強度閾値は実際の状況に応じて定められてもよく、例えば、第一の強度閾値、第二の強度閾値と第三の強度閾値をゼロに直接設定することができる。
【０１３０】
３２０において、前記第一の端末は第一のメッセージを送信し、前記第一のメッセージが前記第一の端末が前記衛星システムと同期できないことを示すことに用いられる。理解すべきものとして、第一のメッセージは支援要請メッセージと呼ばれてもよい、
選択可能に、第一の端末は端末へ該第一のメッセージを送信することができる。
【０１３１】
選択可能に、該第一のメッセージは第一の端末によって生成された同期信号であってもよい。
【０１３２】
３３０において、第二の端末は、第一の端末から送信された第一のメッセージに基づいて衛星システムに基づく同期信号を送信する。
【０１３３】
選択可能に、前記第二の端末の検出された衛星信号の強度が強度閾値より大きい場合、前記第二の端末は衛星システムに基づく同期信号を送信する。
【０１３４】
選択可能に、衛星同期に対して、
衛星信号１＞衛星システムと直接同期する端末からの同期信号２＞衛星システムと間接的に同期する端末からの同期信号３＞端末自体によって生成された同期信号４という優先度を定義することができる。
【０１３５】
具体的には、セルラネットワークのカバレッジがない場合、第一の端末が衛星信号だけでなく、同期信号２及び同期信号３を検出できない場合、端末は同期信号４を送信する。第二の端末は衛星システムと直接同期し、且つこの第二の端末が第一の端末から送信された同期信号４を検出した場合、この第二の端末は同期信号２を送信し、第二の端末が同期信号２又は同期信号３によって衛星システムと同期し、且つこの第二の端末が第一の端末から送信された同期信号４を検出した場合、この第二の端末は同期信号３を送信する。
【０１３６】
選択可能に、前記同期信号はさらに、前記第二の端末が前記衛星システムと直接又は間接的に同期することを示すことに用いられる。
【０１３７】
前記方法はさらに、前記第二の端末が同期ブロードキャストチャネルを送信し、前記同期ブロードキャストチャネルが、前記第二の端末が前記衛星システムと直接又は間接的に同期することを示すことを含む。
【０１３８】
３４０において、前記第一の端末は第二の端末から送信された衛星システムに基づく同期信号を受信する。
【０１３９】
３５０において、前記同期信号に基づき、前記第一の端末は前記衛星システムと同期する。
【０１４０】
したがって、本出願の実施例では、第一の端末装置が衛星システムと同期できないことを確定した場合、第一の端末が衛星システムと同期するための衛星システムに基づく同期信号を送信するように第二の端末にリクエストすることができ、それによってＤ２Ｄ方式で端末と衛星システムとの同期を保証することができる。
【０１４１】
図４は本出願の実施例によるネットワーク装置４００の概略ブロック図である。図４に示すように、該ネットワーク装置４００は、
第一の端末が衛星システムと同期できないことを確定するように構成される確定ユニット４１０と、
前記第一の端末が前記衛星システムと同期するための衛星システムに基づく同期信号を送信するように第二の端末に指示するように構成される指示ユニット４２０とを備える。
【０１４２】
選択可能に、図４に示すように、前記ネットワーク装置４００はさらに、
前記第一の端末の現在の位置を確定し、
前記第一の端末の現在の位置に基づき、前記第二の端末を選択するように構成される選択ユニット４４０を備える。
【０１４３】
選択可能に、図４に示すように、前記ネットワーク装置はさらに、前記第一の端末から送信された第一のメッセージを受信するように構成され、前記第一のメッセージが前記第一の端末が前記衛星システムと同期できないことを示すことに用いられ、及び前記第一のメッセージが前記第一の端末の現在の位置を取得するための情報を含む受信ユニットを備え、
前記確定ユニット４１０は、前記第一のメッセージに基づき、前記第一の端末が前記衛星システムと同期できないことを確定するように構成され、
前記選択ユニット４４０は、前記第一のメッセージに基づいて前記第一の端末の現在の位置を確定するように構成される。
【０１４４】
選択可能に、図４に示すように、前記ネットワーク装置はさらに第二の端末又は第三の端末から送信された報告メッセージを受信するように構成され、前記報告メッセージが前記第一の端末が前記衛星システムと同期できないことを示すことに用いられ、及び前記第一の端末の現在の位置を取得するための情報を含む受信ユニット４３０を備える。
【０１４５】
前記確定ユニット４１０は、前記報告メッセージに基づき、前記第一の端末が前記衛星システムと同期できないことを確定するように構成され、
前記選択ユニット４４０は、前記報告メッセージに基づき、前記第一の端末の現在の位置を確定するように構成される。
【０１４６】
選択可能に、前記報告メッセージはさらに前記第二のメッセージの送信側の現在の位置情報と検出された衛星信号の強度情報を含む。
【０１４７】
選択可能に、前記第一の端末の現在の位置を取得するための情報は、前記第一の端末が第一の時点で前記衛星システムによって取得した位置情報及び前記第一の時点から前記第一のメッセージの報告時点までの速度情報を含む。
【０１４８】
選択可能に、図４に示すように、前記ネットワーク装置４００はさらに、複数の端末装置の各々によって送信された第二のメッセージを受信するように構成され、前記第二のメッセージが送信側の現在の位置情報と検出された衛星信号の強度情報を示すことに用いられる受信ユニット４３０を備え、
前記選択ユニット４４０は、前記第一の端末の現在の位置、前記複数の端末の現在の位置情報と検出された衛星信号の強度情報に基づき、前記第二の端末を選択するように構成される。
【０１４９】
選択可能に、図４に示すように、前記ネットワーク装置４００はさらに、
第一のエリア内の端末へブロードキャストメッセージを送信するように構成され、前記ブロードキャストメッセージが現在の位置情報と検出された衛星信号の強度情報を報告するように前記第一のエリア内の端末に指示することに用いられ、前記第一のエリア内の位置と前記第一の端末の現在の位置との距離が第一の所定距離より小さい送信ユニット４５０を備える。
【０１５０】
選択可能に、前記受信ユニット４３０はさらに、
前記複数の端末によって周期的に送信された前記第二のメッセージを受信するように構成される。
【０１５１】
選択可能に、前記指示ユニット４２０はさらに、
ブロードキャストチャネルにより、衛星システムに基づく同期信号を送信するように第二の端末に指示するように構成され、前記第二の端末が第二のエリアにあり且つ検出された衛星信号の強度が強度閾値以上である端末であり、前記第二のエリア内の位置と前記端末の現在の位置との距離が第二の所定距離以下である。
【０１５２】
理解すべきものとして、該ネットワーク装置４００は図１における方法１００に示すネットワーク装置に対応してもよく、方法１００におけるネットワーク装置の対応する機能を実現することができ、簡潔にするためにここでは説明を省略する。
【０１５３】
図５は本出願の実施例によるネットワーク装置５００の概略ブロック図である。図５に示すように、該ネットワーク装置５００は、
指示メッセージを生成するように構成され、前記指示メッセージが、衛星システムに基づく同期信号を送信するように第一のエリア内の第二の端末に指示し、又は端末が第一のエリアに入る時に衛星システムに基づく同期信号を送信するように端末に指示することに用いられる生成ユニット５１０と、
前記指示メッセージを送信するように構成される送信ユニット５２０とを備える。
【０１５４】
選択可能に、図５に示すように、前記ネットワーク装置５００はさらに、
第二のエリアの衛星信号の強度が強度閾値以下であることを確定し、前記第一のエリアが前記第二のエリアの隣接エリアであり、前記第一のエリア内の位置と第二のエリアの位置との距離が第一の所定距離以下であり、
前記第二のエリアの位置情報に基づき、前記第一のエリアを確定するように構成される確定ユニット５４０を備える。
【０１５５】
選択可能に、図５に示すように、前記ネットワーク装置５００はさらに、前記第二のエリア内の端末によって送信された第一の報告メッセージを受信するように構成され、前記報告メッセージが送信側によって検出された衛星信号の強度を示すことに用いられる受信ユニット５３０を備え、
前記確定ユニット５４０はさらに前記第二のエリア内の端末によって検出された衛星信号の強度に基づき、前記第二のエリアの衛星信号の強度を確定するように構成される。
【０１５６】
選択可能に、図５に示すように、前記ネットワーク装置はさらに受信ユニット５３０と選択ユニット５５０を備え、その中、
前記送信ユニット５２０はさらに第一のエリア内の端末へ第一のブロードキャストメッセージを送信するように構成され、前記第一のブロードキャストメッセージが検出された衛星信号の強度情報を報告するように前記第一のエリア内の端末に指示することに用いられ、
前記受信ユニット５３０はさらに前記第一のエリア内の端末によって送信された第二の報告メッセージを受信するように構成され、前記第二の報告メッセージが送信側によって検出された衛星信号の強度情報を示すことに用いられ、
前記選択ユニット５５０はさらに前記第一のエリア内の端末によって検出された衛星信号の強度情報に基づき、前記第一のエリアにある端末から前記第二の端末を選択するように構成される。
【０１５７】
選択可能に、前記第一のエリア内の第一の端末は検出された衛星信号の強度が所定強度より大きい端末であり、
前記送信ユニット５２０はさらに、
衛星システムに基づく同期信号を送信するように前記第一のエリア内の検出された信号の強度が所定強度より大きい端末に指示するための前記指示メッセージをブロードキャストチャネルを介して送信するように構成される。
【０１５８】
理解すべきものとして、該ネットワーク装置５００は、図２における方法２００に示すネットワーク装置に対応してもよく、方法２００におけるネットワーク装置の対応する機能を実現することができ、簡潔にするためにここでは説明を省略する。
【０１５９】
図６は本出願の実施例による端末６００の概略ブロック図である。その中、該端末３００は第一の端末と呼ばれてもよい。該端末６００は、
前記第一の端末が衛星システムと同期できないことを確定するように構成される確定ユニット６１０と、
第一のメッセージを送信し、前記第一のメッセージが前記第一の端末が前記衛星システムと同期できないことを示すことに用いられる送信ユニット６２０と、
第二の端末から送信された衛星システムに基づく同期信号を受信するように構成される受信ユニット６３０と、
前記同期信号に基づき、前記第一の端末が前記衛星システムと同期するように構成される同期ユニット６４０とを備える。
【０１６０】
選択可能に、前記第一のメッセージは前記第一の端末の現在の位置を取得するための情報を含む。
【０１６１】
選択可能に、前記第一の端末の現在の位置を取得するための情報は前記第一の端末が第一の時点で前記衛星システムによって取得した位置情報及び前記第一の時点から前記第一のメッセージの報告時点までの速度情報を含む。
【０１６２】
選択可能に、前記送信ユニット６２０はさらに、
ネットワーク装置へ前記第一のメッセージを送信するように構成され、
選択可能に、前記送信ユニット６２０はさらに、
端末へ前記第一のメッセージをブロードキャストするように構成される。
【０１６３】
選択可能に、前記第一のメッセージは前記第一の端末によって生成された同期信号である。
【０１６４】
選択可能に、以下の場合で、前記確定ユニット６１０は第一の端末が衛星システムと同期できないことを確定する。
【０１６５】
前記第一の端末によって第一の所定期間内に検出された衛星信号の強度が第一の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下であり、前記第一の端末によって第三の所定期間内に検出された、衛星システムと間接的に同期する端末から送信された衛星システムに基づく同期信号の強度が第三の強度閾値以下である場合がある。
【０１６６】
理解すべきものとして、該端末６００は図１における第一の端末、又は図３における第一の端末に対応してもよく、図１における第一の端末又は図３における第一の端末の対応する機能を実現することができ、簡潔にするためにここでは説明を省略する。
【０１６７】
図７は本出願の実施例による端末７００の概略ブロック図である。該端末７００は第二の端末と呼ばれてもよい。該端末７００は、
指示メッセージを受信するように構成され、前記指示メッセージが衛星システムに基づく同期信号を送信するように前記第二の端末に指示することに用いられる受信ユニット７１０と、
前記指示メッセージに基づき、第一の端末が前記衛星システムと同期するための衛星システムに基づく同期信号を送信するように構成される送信ユニット７２０とを備える。
【０１６８】
選択可能に、前記受信ユニット７１０はさらに、
前記第一端末から送信された前記指示メッセージを受信するように構成される。
【０１６９】
選択可能に、前記送信ユニット７２０はさらに、
前記第二の端末の検出された衛星信号の強度が強度閾値以上である場合、衛星システムに基づく同期信号を送信するように構成される。
【０１７０】
選択可能に、前記受信ユニット７１０はさらに、
ネットワーク装置から送信された前記指示メッセージを受信するように構成される。
【０１７１】
選択可能に、前記送信ユニット７２０はさらに、
前記ネットワーク装置へ前記第二の端末の現在の位置情報と検出された衛星信号の強度情報を報告するように構成される。
【０１７２】
選択可能に、前記受信ユニット７１０はさらに、
前記ネットワーク装置から送信されたブロードキャストメッセージを受信するように構成され、前記ブロードキャストメッセージが現在の位置情報と検出された衛星信号の強度情報を送信するように前記ブロードキャストメッセージを受信した端末にリクエストすることに用いられる。
【０１７３】
選択可能に、前記受信ユニット７１０はさらに、
前記第一の端末から送信された支援要請メッセージを受信するように構成され、前記支援要請メッセージが前記第一の端末が前記衛星システムと同期できないことを示すことに用いられ、且つ前記第一のメッセージが前記第一の端末の位置を取得するための情報を含み、
前記送信ユニット７２０はさらに、
前記支援要請メッセージに基づき、前記ネットワーク装置へ前記第二の端末の現在の位置情報と検出された衛星信号の強度情報を報告し、前記ネットワーク装置へ前記第一の端末の位置を取得するための情報を送信するように構成される。
【０１７４】
選択可能に、前記送信ユニット７２０はさらに、
前記ネットワーク装置へ前記第二の端末の現在の位置情報と検出された衛星信号の強度情報を周期的に報告するように構成される。
【０１７５】
選択可能に、前記送信ユニット７２０はさらに、
前記第二の端末の移動速度が所定速度より大きく又は移動距離が所定距離より大きい場合、前記ネットワーク装置へ前記第二の端末の現在の位置情報と検出された衛星信号の強度情報を報告するように構成される。
【０１７６】
選択可能に、前記同期信号はさらに、前記第二の端末が前記衛星システムと直接又は間接的に同期することを示すことに用いられ、又は、
前記送信ユニット７２０はさらに同期ブロードキャストチャネルを送信するように構成され、前記同期ブロードキャストチャネルが、前記第二の端末が前記衛星システムと直接又は間接的に同期することを示す。
【０１７７】
理解すべきものとして、該端末７００は図１、図２又は図３における第二の端末に対応してもよく、図１、図２又は図３における第二の端末の対応する機能を実現することができ、簡潔にするためにここでは説明を省略する。
【０１７８】
図８は本出願の実施例による通信装置８００の概略ブロック図である。図８に示すように、該通信装置８００はプロセッサ８１０、メモリ８２０と送受信器８３０を備え、選択可能に、該通信装置はさらにプロセッサ８１０、メモリ８２０と送受信機８３０を相互に接続するためのバスシステム８４０を備える。メモリ８２０は命令を記憶するように構成され、プロセッサ８１０はメモリ８２０に記憶された命令を呼び出して対応する操作を実行するように構成される。
【０１７９】
選択可能に、図８に示す通信装置８００は方法の実施例におけるネットワーク装置の対応する機能、又は、方法の実施例に係る第一の端末の対応する操作、又は、方法の実施例に係る第二の端末の対応する操作を実行することができる。
【０１８０】
理解を容易にするために、以下に方法の実施例１００に係るネットワーク装置の対応する操作を例として説明する。
【０１８１】
プロセッサ８１０は、メモリ８２０に記憶された命令を呼び出し、
第一の端末が衛星システムと同期できないことを確定すること、
送受信機８３０により、前記第一の端末が前記衛星システムと同期するための衛星システムに基づく同期信号を送信するように第二の端末に指示することという操作を実行する。
【０１８２】
選択可能に、プロセッサ８１０は、メモリ８２０に記憶された命令を呼び出し、
送受信機８３０により、衛星システムに基づく同期信号を送信するように第二の端末に指示する前に、前記第一の端末の現在の位置を確定すること、前記第一の端末の現在の位置に基づき、前記第二の端末を選択することという操作を実行する。
【０１８３】
選択可能に、プロセッサ８１０は、メモリ８２０に記憶された命令を呼び出し、前記第一の端末から送信された第一のメッセージを送受信機８３０を介して受信し、前記第一のメッセージが前記第一の端末が前記衛星システムと同期できないことを示すことに用いられ、及び前記第一のメッセージが前記第一の端末の現在の位置を取得するための情報を含むこと、前記第一のメッセージに基づき、第一の端末が衛星システムと同期できないことを確定すること、前記第一のメッセージに基づいて前記第一の端末の現在の位置を確定することという操作を実行する。
【０１８４】
選択可能に、プロセッサ８１０はメモリ８２０に記憶された命令を呼び出し、
第二の端末又は第三の端末から送信された報告メッセージを送受信機８３０を介して受信し、前記報告メッセージが前記第一の端末が前記衛星システムと同期できないことを示すことに用いられ、及び前記第一の端末の現在の位置を取得するための情報を含むこと、前記報告メッセージに基づき、前記第一の端末が前記衛星システムと同期できないことを確定すること、前記報告メッセージに基づき、前記第一の端末の現在の位置を確定することという操作を実行する。
【０１８５】
選択可能に、前記報告メッセージはさらに前記第二のメッセージの送信側の現在の位置情報と検出された衛星信号の強度情報を含む。
【０１８６】
選択可能に、前記第一の端末の現在の位置を取得するための情報は、前記第一の端末が第一の時点で前記衛星システムによって取得した位置情報及び前記第一の時点から前記第一のメッセージの報告時点までの速度情報を含む。
【０１８７】
選択可能に、プロセッサ８１０はメモリ８２０に記憶された命令を呼び出し、
前記第一の端末の現在の位置に基づき、前記第二の端末を選択する前に、複数の端末装置の各々によって送信された第二のメッセージを送受信機８３０を介して受信し、前記第二のメッセージが送信側の現在の位置情報と検出された衛星信号の強度情報を示すことに用いられること、前記第一の端末の現在の位置、前記複数の端末の現在の位置情報と検出された衛星信号の強度情報に基づき、前記第二の端末を選択することという操作を実行する。
【０１８８】
選択可能に、プロセッサ８１０はメモリ８２０に記憶された命令を呼び出し、
複数の端末の各々によって送信された第二のメッセージを送受信機８３０を介して受信する前に、送受信機８３０によって第一のエリア内の端末へブロードキャストメッセージを送信し、前記ブロードキャストメッセージが前記第一のエリア内の端末によって報告された現在の位置情報と検出された衛星信号の強度情報を示すことに用いられ、前記第一のエリア内の位置と前記第一の端末の現在の位置との距離が第一の所定距離より小さいという操作を実行する。
【０１８９】
選択可能に、プロセッサ８１０はメモリ８２０に記憶された命令を呼び出し、
前記複数の端末によって周期的に送信された前記第二のメッセージを送受信機８３０を介して受信するという操作を実行する。
【０１９０】
選択可能に、プロセッサ８１０はメモリ８２０に記憶された命令を呼び出し、
送受信機８３０を介してブロードキャストチャネルによって衛星システムに基づく同期信号を送信するように前記第二の端末に指示し、前記第二の端末が第二のエリアにあり且つ検出された衛星信号の強度が強度閾値以上である端末であり、前記第二のエリア内の位置と前記端末の現在の位置との距離が第二の所定距離以下であるという操作を実行する。
【０１９１】
以下に方法の実施例２００に係るネットワーク装置の対応する操作を例として説明する。
【０１９２】
プロセッサ８１０はメモリ８２０に記憶された命令を呼び出し、
指示メッセージを生成し、前記指示メッセージが、衛星システムに基づく同期信号を送信するように第一のエリア内の第二の端末に指示し、又は端末が第一のエリアに入る時に衛星システムに基づく同期信号を送信するように端末に指示することに用いられ、
送受信機８３０を介して前記指示メッセージを送信することという操作を実行する。
【０１９３】
選択可能に、プロセッサ８１０はメモリ８２０に記憶された命令を呼び出し、
指示メッセージを生成する前に、第二のエリアの衛星信号の強度が強度閾値以下であることを確定し、前記第一のエリアが前記第二のエリアの隣接エリアであり、前記第一のエリア内の位置と第二のエリアの位置との距離が第一の所定距離以下であること、前記第二のエリアの位置情報に基づき、前記第一のエリアを確定することという操作を実行する。
【０１９４】
選択可能に、プロセッサ８１０はメモリ８２０に記憶された命令を呼び出し、
前記第二のエリア内の端末によって送信された第一の報告メッセージを送受信機８３０を介して受信し、前記報告メッセージが前記送信側によって検出された衛星信号の強度を示すことに用いられること、
前記第二のエリア内の端末によって検出された衛星信号の強度に基づき、前記第二のエリアの衛星信号の強度を確定することという操作を実行する。
【０１９５】
選択可能に、プロセッサ８１０はメモリ８２０に記憶された命令を呼び出し、
指示メッセージを生成する前に、送受信機８３０を介して第一のエリア内の端末へ第一のブロードキャストメッセージを送信し、前記第一のブロードキャストメッセージが検出された衛星信号の強度情報を報告するように前記第一のエリア内の端末に指示することに用いられること、
送信側によって検出された第二の報告メッセージを送受信機８３０を介して受信し、前記第二の報告メッセージが送信側によって検出された衛星信号の強度情報を示すことに用いられること、
前記第一のエリア内の端末によって検出された衛星信号の強度情報に基づき、前記第一のエリアにある端末から前記第二の端末を選択することという操作を実行する。
【０１９６】
選択可能に、前記第一のエリア内の第二の端末は検出された衛星信号の強度が所定強度より大きい端末であり、
プロセッサ８１０はメモリ８２０に記憶された命令を呼び出し、
衛星システムに基づく同期信号を送信するように前記第一のエリア内の検出された信号の強度が所定強度より大きい端末に指示するための前記指示メッセージをブロードキャストチャネルを介して送信するという操作を実行する。
【０１９７】
以下に方法の実施例１００又は３００に係る第一の端末の対応する操作を例として説明する。
【０１９８】
プロセッサ８１０はメモリ８２０に記憶された命令を呼び出し、
衛星システムと同期できないことを確定すること、
送信機８３０を介して第一のメッセージを送信し、前記第一のメッセージが前記第一の端末が前記衛星システムと同期できないことを示すことに用いられること、
第二の端末から送信された衛星システムに基づく同期信号を送受信機８３０を介して受信すること、
前記同期信号に基づき、前記衛星システムと同期することという操作を実行する。
【０１９９】
選択可能に、前記第一のメッセージは前記第一の端末の現在の位置を取得するための情報を含む。
【０２００】
選択可能に、前記第一の端末の現在の位置を取得するための情報は前記第一の端末が第一の時点で前記衛星システムによって取得した位置情報及び前記第一の時点から前記第一のメッセージの報告時点までの速度情報を含む。
【０２０１】
選択可能に、プロセッサ８１０はメモリ８２０に記憶された命令を呼び出し、
送受信機８３０を介してネットワーク装置へ前記第一のメッセージを送信するという操作を実行する。
【０２０２】
プロセッサ８１０はメモリ８２０に記憶された命令を呼び出し、
送受信機８３０を介して端末へ前記第一のメッセージをブロードキャストするという操作を実行する。
【０２０３】
選択可能に、前記第一のメッセージは前記第一の端末によって生成された同期信号である。
【０２０４】
選択可能に、以下の場合で、第一の端末が衛星システムと同期できないことを確定する。
【０２０５】
前記第一の端末によって第一の所定期間内に検出された衛星信号の強度が第一の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下である場合、又は
前記第一の端末によって第一の所定期間内に検出された衛星信号の強度が第一の強度閾値以下であり、前記第一の端末によって第二の所定期間内に検出された、衛星システムと直接同期する端末から送信された衛星システムに基づく同期信号の強度が第二の強度閾値以下であり、前記第一の端末によって第三の所定期間内に検出された、衛星システムと間接的に同期する端末から送信された衛星システムに基づく同期信号の強度が第三の強度閾値以下である場合がある。
【０２０６】
以下に方法の実施例１００、２００又は３００に係る第二の端末の対応する操作を例として説明する。
【０２０７】
プロセッサ８１０はメモリ８２０に記憶された命令を呼び出し、
送受信機８３０を介して指示メッセージを受信し、前記指示メッセージが衛星システムに基づく同期信号を送信するように前記第二の端末に指示することに用いられること、
前記指示メッセージに基づき、第一の端末が前記衛星システムと同期するための衛星システムに基づく同期信号を送受信機８３０を介して送信することという操作を実行する。
【０２０８】
選択可能に、プロセッサ８１０はメモリ８２０に記憶された命令を呼び出し、
前記第一端末から送信された前記指示メッセージを送受信機８３０を介して受信するという操作を実行する。
【０２０９】
選択可能に、プロセッサ８１０はメモリ８２０に記憶された命令を呼び出し、
前記第二の端末の検出された衛星信号の強度が強度閾値以上である場合、送受信機８３０を介して衛星システムに基づく同期信号を送信するという操作を実行する。
【０２１０】
選択可能に、プロセッサ８１０はメモリ８２０に記憶された命令を呼び出し、
ネットワーク装置から送信された前記指示メッセージを送受信機８３０を介して受信するという操作を実行する。
【０２１１】
選択可能に、プロセッサ８１０はメモリ８２０に記憶された命令を呼び出し、
送受信機８３０を介して前記ネットワーク装置へ前記第二の端末の現在の位置情報と検出された衛星信号の強度情報を報告するという操作を実行する。
【０２１２】
選択可能に、プロセッサ８１０はメモリ８２０に記憶された命令を呼び出し、
前記ネットワーク装置から送信されたブロードキャストメッセージを送受信機８３０を介して受信し、前記ブロードキャストメッセージが現在の位置情報と検出された衛星信号の強度情報を送信するように前記ブロードキャストメッセージを受信した端末にリクエストすることに用いられるという操作を実行する。
【０２１３】
選択可能に、プロセッサ８１０はメモリ８２０に記憶された命令を呼び出し、
前記第一の端末から送信された支援要請メッセージを送受信機８３０を介して受信し、前記支援要請メッセージが前記第一の端末が前記衛星システムと同期できないことを示し、且つ前記第一のメッセージが前記第一の端末の位置を取得するための情報を含むこと、
前記支援要請メッセージに基づき、送受信機８３０を介して前記ネットワーク装置へ前記第二の端末の現在の位置情報と検出された衛星信号の強度情報を報告すること、
送受信機８３０を介して前記ネットワーク装置へ前記第一の端末の位置を取得するための情報を送信することという操作を実行する。
【０２１４】
選択可能に、プロセッサ８１０はメモリ８２０に記憶された命令を呼び出し、
送受信機８３０によって前記ネットワーク装置へ前記第二の端末の現在の位置情報と検出された衛星信号の強度情報を周期的に報告するという操作を実行する。
【０２１５】
選択可能に、プロセッサ８１０はメモリ８２０に記憶された命令を呼び出し、
前記第二の端末の移動速度が所定速度より大きく又は移動距離が所定距離より大きい場合、送受信機８３０によって前記ネットワーク装置へ前記第二の端末の現在の位置情報と検出された衛星信号の強度情報を報告するという操作を実行する。
【０２１６】
選択可能に、前記同期信号はさらに、前記第二の端末が前記衛星システムと直接又は間接的に同期することを示すことに用いられる。
【０２１７】
選択可能に、プロセッサ８１０はメモリ８２０に記憶された命令を呼び出し、
送受信機８３０を介して同期ブロードキャストチャネルを送信し、前記同期ブロードキャストチャネルが、前記第二の端末が前記衛星システムと直接又は間接的に同期することを示すことに用いられるという操作を実行する。
【０２１８】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるか否かは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０２１９】
当業者は、便利且つ簡潔に説明するために、上述したシステム、装置とユニットの具体的な動作プロセスについて上記方法の実施例における対応するプロセスを参照することができ、ここでは説明を省略することを明確に理解することができる。
【０２２０】
本出願が提供するいくつかの実施例では、開示されたシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得るのであって、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２２１】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０２２２】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０２２３】
前記機能はソフトウェア機能ユニットの形態で実現され且つ独立した製品として販売又は使用される場合、一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２２４】
以上は、本発明の最適的な実施例に過ぎず、本発明を制限するものではなく、本分野の当業者に対して、本発明は各種類の変更と変化が可能である。本発明の主旨精神と原則の範囲内で、いかなる改修、同等入れ替わり、改良等が、本発明の保護範囲内に含まれるべきである。
【図１】
2019519948.tif 000003
【図２】
2019519948.tif 000004
【図３】
2019519948.tif 000005
【図４】
2019519948.tif 000006
【図５】
2019519948.tif 000007
【図６】
2019519948.tif 000008
【図７】
2019519948.tif 000009
【図８】
2019519948.tif 000010
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
同期方法であって、
ネットワーク装置が第一の端末が衛星システムと同期できないことを確定することと、  前記ネットワーク装置が前記第一の端末が前記衛星システムと同期するための衛星システムに基づく同期信号を送信するように第二の端末に指示することとを含む同期方法。
【請求項２】
前記ネットワーク装置が衛星システムに基づく同期信号を送信するように第二の端末に指示する前に、前記方法はさらに、
前記ネットワーク装置が前記第一の端末の現在の位置を確定することと、
前記第一の端末の現在の位置に基づき、前記ネットワーク装置が前記第二の端末を選択することとを含むことを特徴とする
請求項１に記載の方法。
【請求項３】
前記方法は、前記ネットワーク装置が前記第一の端末から送信された第一のメッセージを受信し、前記第一のメッセージが前記第一の端末が前記衛星システムと同期できないことを示すことに用いられ、及び前記第一のメッセージが前記第一の端末の現在の位置を取得するための情報を含むことを含み、
前記ネットワーク装置が第一の端末が衛星システムと同期できないことを確定することは、前記第一のメッセージに基づき、前記ネットワーク装置が前記第一の端末が前記衛星システムと同期できないことを確定することを含み、
前記ネットワーク装置が前記第一の端末の現在の位置を確定することは、前記第一のメッセージに基づいて前記第一の端末の現在の位置を確定することを含むことを特徴とする
請求項２に記載の方法。
【請求項４】
前記方法は、前記ネットワーク装置が第二の端末又は第三の端末から送信された報告メッセージを受信し、前記報告メッセージが前記第一の端末が前記衛星システムと同期できないことを示すことに用いられ、及び前記第一の端末の現在の位置を取得するための情報を含むことを含み、
前記ネットワーク装置が第一の端末が衛星システムと同期できないことを確定することは、前記報告メッセージに基づき、前記ネットワーク装置が前記第一の端末が前記衛星システムと同期できないことを確定することを含み、
前記ネットワーク装置が前記第一の端末の現在の位置を確定することは、前記報告メッセージに基づき、前記第一の端末の現在の位置を確定することを含み、
前記報告メッセージはさらに第二のメッセージの送信側の現在の位置情報と検出された衛星信号の強度情報を含むことを特徴とする
請求項２に記載の方法。
【請求項５】
前記第一の端末の現在の位置を取得するための情報は、前記第一の端末が第一の時点で前記衛星システムによって取得した位置情報及び前記第一の時点から前記第一のメッセージの報告時点までの速度情報を含むことを特徴とする
請求項３又は４に記載の方法。
【請求項６】
前記第一の端末の現在の位置に基づき、前記ネットワーク装置が前記第二の端末を選択する前に、前記方法はさらに、
前記ネットワーク装置が複数の端末装置の各々によって送信された第二のメッセージを受信し、前記第二のメッセージが送信側の現在の位置情報と検出された衛星信号の強度情報を示すことに用いられることを含み、
前記第一の端末の現在の位置に基づき、前記ネットワーク装置が前記第二の端末を選択することは、
前記第一の端末の現在の位置、前記複数の端末の現在の位置情報と検出された衛星信号の強度情報に基づき、前記第二の端末を選択することを含み、
前記ネットワーク装置が複数の端末の各々によって送信された第二のメッセージを受信する前に、前記方法はさらに、
前記ネットワーク装置が第一のエリア内の端末へブロードキャストメッセージを送信し、前記ブロードキャストメッセージが現在の位置情報と検出された衛星信号の強度情報を報告するように前記第一のエリア内の端末に指示することに用いられ、前記第一のエリア内の位置と前記第一の端末の現在の位置との距離が第一の所定距離より小さいことを含むことを特徴とする
請求項２乃至５のいずれか一項に記載の方法。
【請求項７】
同期方法であって、
ネットワーク装置が指示メッセージを生成し、前記指示メッセージが、衛星システムに基づく同期信号を送信するように第一のエリア内の第二の端末に指示し、又は端末が第一のエリアに入る時に衛星システムに基づく同期信号を送信するように端末に指示することに用いられることと、
前記ネットワーク装置が前記指示メッセージを送信することとを含む、前記同期方法。
【請求項８】
同期方法であって、
第二の端末が指示メッセージを受信し、前記指示メッセージが衛星システムに基づく同期信号を送信するように前記第二の端末に指示することに用いられることと、
前記第二の端末が前記指示メッセージに基づき、第一の端末が前記衛星システムと同期するための衛星システムに基づく同期信号を送信することとを含む、同期方法。
【請求項９】
前記第二の端末が指示メッセージを受信することは、
前記第二の端末が前記第一端末から送信された前記指示メッセージを受信することを含むことを特徴とする
請求項８に記載の方法。
【請求項１０】
前記第二の端末が衛星システムに基づく同期信号を送信することは、
前記第二の端末の検出された衛星信号の強度が強度閾値以上である場合、前記第二の端末が衛星システムに基づく同期信号を送信することを含むことを特徴とする
請求項９に記載の方法。
【請求項１１】
前記第二の端末が指示メッセージを受信することは、
前記第二の端末がネットワーク装置から送信された前記指示メッセージを受信することを含み、
前記第二の端末がネットワーク装置から送信された前記指示メッセージを受信する前に、前記方法はさらに、
前記第二の端末が前記ネットワーク装置へ前記第二の端末の現在の位置情報と検出された衛星信号の強度情報を報告することを含むことを特徴とする
請求項８に記載の方法。
【請求項１２】
前記第二の端末が前記ネットワーク装置へ前記第二の端末の現在の位置情報と検出された衛星信号の強度を報告する前に、前記方法はさらに、
前記第二の端末が前記ネットワーク装置から送信されたブロードキャストメッセージを受信し、前記ブロードキャストメッセージが現在の位置情報と検出された衛星信号の強度情報を送信するように前記ブロードキャストメッセージを受信した端末にリクエストすることに用いられることを含むことを特徴とする
請求項１１に記載の方法。
【請求項１３】
前記第二の端末が前記ネットワーク装置へ前記第二の端末の現在の位置情報と検出された衛星信号の強度情報を報告する前に、前記方法はさらに、
前記第二の端末が前記第一の端末から送信された支援要請メッセージを受信し、前記支援要請メッセージが前記第一の端末が前記衛星システムと同期できないことを示すことに用いられ、且つ前記第一のメッセージが前記第一の端末の位置を取得するための情報を含むことを含み、
前記第二の端末が前記ネットワーク装置へ前記第二の端末の現在の位置情報と検出された衛星信号の強度情報を報告することは、
前記支援要請メッセージに基づき、前記第二の端末が前記ネットワーク装置へ前記第二の端末の現在の位置情報と検出された衛星信号の強度情報を報告することを含み、
前記方法はさらに、前記第二の端末が前記ネットワーク装置へ前記第一の端末の位置を取得するための情報を送信することを含むことを特徴とする
請求項１１に記載の方法。
【請求項１４】
前記第二の端末が前記ネットワーク装置へ前記第二の端末の現在の位置情報と検出された衛星信号の強度情報を報告することは、
前記第二の端末が前記ネットワーク装置へ前記第二の端末の現在の位置情報と検出された衛星信号の強度情報を周期的に報告することを含み、又は、
前記第二の端末の移動速度が所定速度より大きく又は移動距離が所定距離より大きい場合、前記第二の端末が前記ネットワーク装置へ前記第二の端末の現在の位置情報と検出された衛星信号の強度情報を報告することを含むことを特徴とする
請求項１１に記載の方法。
【請求項１５】
端末であって、前記端末は第二の端末であり、前記端末は、
プログラムが記憶されるメモリと、
前記プログラムを実行し、請求項８乃至１４のいずれか1項に記載の方法を実施するように構成されるプロセッサと、を含む、前記端末。
【国際調査報告】
2019519948.tif 000011
2019519948.tif 000012
2019519948.tif 000013
2019519948.tif 000014